(57)【特許請求の範囲】
【請求項１】
放射性薬剤の製造装置を備える薬剤製造サイトから陽電子放出型ＣＴを含む検診装置を備える検診サイトに放射性薬剤を供給し、検診サイトにおいて放射性薬剤を使用して被検診者に検診を行う、前記陽電子放出型ＣＴを利用した放射線検診システムにおけるスケジュールを作成する放射線検診スケジュール生成システムであって、
被検診者一人当たりに投与される放射性薬剤の製造から当該放射性薬剤を投与された被検診者を検診する一台の前記検診装置の稼働までになされるオペレーションの情報であって後に被検者の検診の希望日時を基に被検者の検診に割り付けられるジョブと、当該ジョブを含んでなるジョブスケジュールとを、管理対象の前記検診サイトの前記検診装置ごとに、その稼働予定に基づいて、所定期間分を、前記検診サイトからの放射性薬剤の注文前に、あらかじめ生成して、当該生成したジョブスケジュールをジョブ記憶手段に記憶するジョブ生成手段と、
対象の検診サイトで検診を受ける被検診者の検診の希望日時の情報を含む検診予約要求を、前記被検診者の放射性薬剤の注文として受け付けた後に、前記ジョブ生成手段によって生成された前記ジョブスケジュールを前記ジョブ記憶手段から読み出し、前記読み出したジョブスケジュールの各ジョブの中から前記希望日時と一致する日時または当該希望日時に近い日時のジョブを抽出して前記検診予約要求に割り付けることで前記抽出したジョブからオーダを生成し、当該生成したオーダを、各オーダを格納してなるオーダ記憶手段のオーダスケジュールに記憶して前記被検診者の検診予約を管理する予約管理手段と、
前記オーダ記憶手段のオーダスケジュールに含まれる各オーダについて、被検診者のキャンセル等に対応するために予め設定された検診前の期日になったか否かを判断して、前記期日になった場合は、当該期日になった個々の前記オーダの内容に従って、前記薬剤製造サイトにおける放射性薬剤の製造から前記検診サイトにおける検診までの一連の詳細スケジュールを生成するスケジュール生成手段と
を備えることを特徴とする放射線検診スケジュール生成システム。
【請求項２】
前記ジョブ生成手段は、
前記薬剤製造サイトと前記検診サイトとの少なくとも一方の資源に関する情報を記憶した資源情報記憶手段から当該資源に関する情報を取得し、当該資源に関する情報に応じて前記ジョブスケジュールを生成する
ことを特徴とする請求項１に記載の放射線検診スケジュール生成システム。
【請求項３】
前記放射線検診システムでは、前記薬剤製造サイトで製造した放射性薬剤を配送サイトに備えられる配送装置により前記検診サイトに供給し、
前記資源情報記憶手段は、前記配送サイトの資源の情報も記憶し、
前記スケジュール生成手段は、前記配送サイトの資源の情報にも基づいて、前記各サイトにおける詳細スケジュールを生成すること
を特徴とする請求項２に記載の放射線検診スケジュール生成システム。
【請求項４】
前記ジョブ生成手段は、前記配送サイトに備えられる装置の稼動実績の情報から前記薬剤製造サイトから前記検診サイトまでの配送時間の情報を抽出するとともに前記抽出した配送時間の情報を曜日別かつ時間別に分類し、前記分類した配送時間の情報を参照して前記ジョブスケジュールを生成すること
を特徴とする請求項３に記載の放射線検診スケジュール生成システム。
【請求項５】
前記スケジュール生成手段で生成した各詳細スケジュールを、前記各サイトに通信回線を介して送信すること
を特徴とする請求項１乃至請求項４のいずれか１項に記載の放射線検診スケジュール生成システム。
【請求項６】
前記スケジュール生成手段は、前記予約管理手段において決定した日時が利用者に確認された検診に対して、詳細スケジュールを生成することを特徴とする請求項１乃至請求項５のいずれか１項に記載の放射線検診スケジュール生成システム。
【請求項７】
前記利用者に対して、前記被検診者の検診の希望日時の情報および前記予約管理決定手段において選択された日時を表示することを特徴とする請求項６に記載の放射線検診スケジュール生成システム。
【請求項８】
前記スケジュール生成手段で生成した各詳細スケジュールを各サイトに提供する対価からなる課金情報を記憶する課金情報記憶手段を備え、
前記スケジュール生成手段は、前記生成した各詳細スケジュールを各サイトに提供する毎に前記課金情報を更新し、前記課金情報に基づいて各サイトに課金することを特徴とする請求項１乃至請求項７のいずれか１項に記載の放射線検診スケジュール生成システム。
【請求項９】
前記スケジュール生成手段は、前記各サイトに備えられる装置の稼動実績の情報を記憶する稼動実績記憶手段から当該稼働実績の情報を取得し、前記生成した詳細スケジュールにおける各装置の稼動時間と前記各装置の稼動実績の情報における稼動時間とが予め設定した時間幅以上相違した場合、前記各サイトにおける詳細スケジュールを再生成することを特徴とする請求項１乃至請求項８のいずれか１項に記載の放射線検診スケジュール生成システム。
【請求項１０】
放射性薬剤の製造装置を備える薬剤製造サイトから検診装置を備える検診サイトに放射性薬剤を供給し、検診サイトにおいて放射性薬剤を使用して被検診者に検診を行う放射線検診システムであって、
前記請求項１乃至請求項８のいずれか１項に記載する放射線検診スケジュール生成システムを有し、
前記各サイトに、前記スケジュール生成手段で生成した各詳細スケジュールに従って各サイトにおけるオペレーションを管理する管理手段を備えることを特徴とする放射線検診システム。
【請求項１１】
放射性薬剤の製造装置を備える薬剤製造サイトから検診装置を備える検診サイトに放射性薬剤を供給し、検診サイトにおいて放射性薬剤を使用して被検診者に検診を行う放射線検診システムであって、
前記請求項９に記載する放射線検診スケジュール生成システムを有し、前記各サイトに、前記各サイトに備えられる装置の稼動実績の情報を前記放射性検診スケジュール生成システムに提供する提供手段と、
前記スケジュール生成手段で生成した各詳細スケジュールまたは再生成した各詳細スケジュールに従って各サイトにおけるオペレーションを管理する管理手段と、
を備えることを特徴とする放射線検診システム。
【請求項１２】
放射性薬剤の製造装置を備える薬剤製造サイトから検診装置を備える検診サイトに放射性薬剤を供給し、検診サイトにおいて放射性薬剤を使用して被検診者に検診を行う放射線検診システムに携わる従事者の作業を予め設定した被検診者一人に対するタスク単位で管理し、前記従事者毎の過去の所定期間において被曝した実績被曝放射線量および前記従事者毎の過去の所定期間におけるタスクの種類毎の実績処理数を管理する被曝放射線量管理手段と、
前記被曝放射線量管理手段で管理する情報に基づいて、タスクの種類毎にタスクを一回処理することにより従事者が被曝するタスク毎予測被曝放射線量を求める予測被曝放射線量推定手段と、
を備え、
前記予測被曝放射線量推定手段で求めたタスク毎予測被曝放射線量と将来の所定期間において各従事者が処理するタスクの種類毎の予定処理数とに基づいて、前記将来の所定期間における各従事者の予測被曝放射線量を算出し、
前記スケジュール生成手段が、算出した予測被爆放射線量に応じて、放射線を取り扱う前記従事者の詳細スケジュールを生成することを特徴とする請求項１０または請求項１１に記載の放射線検診システム。
【請求項１３】
前記予測被曝放射線量推定手段は、前記従事者毎の過去の所定期間において被曝した実績被曝放射線量を目的変数とするとともに前記従事者毎の過去の所定期間におけるタスクの種類毎の実績処理数を説明変数とし、重回帰分析により各説明変数に対する偏回帰係数を求めることにより、前記タスク毎予測被曝放射線量を求めることを特徴とする請求項１２に記載の放射線検診システム。
【請求項１４】
前記請求項１乃至請求項９のいずれか１項に記載の放射線検診スケジュール生成システムに、
少なくとも前記被曝放射線量予測システムの予測被曝放射線量推定手段が備えられ、
前記放射線検診スケジュール生成システムにおいて、各従業者の被曝放射線量が予め設定された限度被曝放射線量を超えないようにスケジュールを生成するために、前記被曝放射線量予測システムにおいて算出した各従事者の予測被曝放射線量を利用することを特徴とする請求項１２または請求項１３に記載の放射線検診システム。
【発明の詳細な説明】
【０００１】
【発明の属する技術分野】
本発明は、放射性核種（以下、「核種」と記載する）を含む薬剤を用いた放射線検診における放射線検診スケジュール生成システムおよび放射線検診システムならびに被曝放射線量予測システムに関する。
【０００２】
【従来の技術】
現在、癌検診の一つとして、ＳＰＥＣＴ[Single Photon Emission Computed Tomography]（単光子放出型ＣＴ）やＰＥＴ[Positron Emission Tomography]（陽電子放出型ＣＴ）を利用した放射線検診が知られている。放射線検診は、放射線を放出する薬剤を注射等で体内に投与し、この薬剤（放射線）が体内において集まったところを体外から検出し、癌細胞の有無や位置の特定を行う検診である。この放射線検診の原理や方法については、「月刊新医療」第２８巻３号（２００１年３月  株式会社エム・イー振興協会発行）の８３〜９１頁等に掲載されている。
【０００３】
放射線検診で使用する薬剤の原料は、原子炉や加速器で製造される放射性同位元素(RI[Radio Isotope])からなる核種であり、例えば、９９Ｍｏ、１３１Ｉ、１８Ｆ、１１Ｃ等がある。ちなみに、９９Ｍｏは、原子量が９９のモリブデン（元素名）であり、その他の核種も原子量と元素記号の組み合わせで記述してある。特に、ＰＥＴを利用した放射線検診では、１８Ｆや１１Ｃ等の陽電子放出型の核種が原料として用いられる。これら核種は、半減期が非常に短く、１８Ｆの場合には半減期が１１０分であり、１１Ｃの場合には半減期が２０分である。そのため、核種を製造してから短時間で核種の量が減少するので、放射線検診に用いる核種の量を確保するためには検診で必要な量より多い量の核種を製造する必要があり、薬剤（核種）を製造してからその薬剤を用いて検診を行うまでの時間をできるだけ短くしなければならない。
【０００４】
このような核種を含む放射性化合物の製造方法の一例として、特開昭６０−１８５７３０号公報に短寿命核種を用いた放射性化合物を合成する方法が開示されている。この合成方法は、目的とする放射性化合物の中間体を予め一定量毎に反応容器に密封用意しておき、合成時に該反応容器を放射性化合物合成装置に装着し、反応合成させることを特徴としている。
【０００５】
図２１を参照して、従来における薬剤（核種）を製造してからその薬剤を用いて検診を行うまでの放射線検診システム１０１について説明する。放射線検診システム１０１は、主に、薬剤製造サイト１０２および検診サイト１０４Ａ，・・・から構成されており、必要に応じて薬剤製造サイト１０２で製造した薬剤を検診サイト１０４Ａ，・・・に配送する配送サイト（図示せず）も有している。薬剤製造サイト１０２は、投与する核種を含む薬剤を製造する施設であり、核種を製造するための装置や薬剤を合成するための装置等を備えている。検診サイト１０４Ａ，・・・は、被検診者に対して薬剤を投与して放射線検診を行う施設であり、被検診者の体内の放射線の分布を測定する設備等を備えている。薬剤製造サイト１０２では、検診サイト１０４Ａからの注文に応じて薬剤を製造し、製造した薬剤を検診サイト１０４Ａに輸送手段（配送サイト）により配送する。そして、検診サイト１０４Ａでは、配送された薬剤を用いて放射線検診を実施する。薬剤製造サイト１０２では、図２１に示すように、検診サイト１０４Ａの他にも、複数の検診サイト１０４Ｂ、・・・、検診サイト１０４Ｘからの各注文に応じて薬剤を製造している。ちなみに、注文毎に検診の日時や薬剤（核種）の使用量等が異なっており、薬剤製造サイト１０２では注文毎に核種の製造時間や薬剤の合成時間および薬剤の製造量を調整する必要がある。また、薬剤製造サイト１０２は、検診サイト１０４Ａ等と同じ敷地内に設置される場合もある。
【０００６】
このような核種を含む薬剤の製造から検診に至る放射線検診システムの一例として、特開２００１−１７２２０４号公報に半減期の短い核種を有効に検診に利用するための検査用薬剤製造販売方法および製造販売装置ならびに検査用薬剤の供給方法および供給システムが開示されている。この発明では、病院施設や検査施設等の発注側からの陽電子放出薬剤に関する使用日時、使用場所、使用量、対象核種の少なくとも４つの情報を添えた注文を供給側が受け付け、この核種の生成開始時刻、輸送時間、薬剤合成開始時刻および薬剤の輸送時間を含むプロセス時間を核種の半減期に基づいて算出し、このプロセス時間に基づいて薬剤の合成および薬剤の供給経路を含む薬剤の供給についての時間スケジュールを作成して、薬剤を製造、販売、供給している。
【０００７】
【発明が解決しようとする課題】
ところで、核種を含む薬剤を製造する場合には核種を製造する装置や薬剤を合成する装置は非常に高価であり、これらの装置を一つの薬剤製造サイトに多数設置するのはコスト的に困難なので、一つの薬剤製造サイトにおける薬剤の製造能力には限界がある。そのため、前記した例では、放射線検診システム１０１において複数の検診サイト１０４Ａ，・・・から注文内容が各々異なる注文を行った場合や特開２００１−１７２２０４号公報に開示されているシステムにおいて多数の発注側から使用日時や使用量等が各々異なる注文を行った場合、薬剤製造サイト１０２や供給側では、薬剤の製造能力によりその各注文に対応できなかったり、あるいは製造装置や合成装置の稼動効率が低下する場合がある。したがって、検診サイトにおけるスケジュールだけに基づいて放射線検診システムにおける薬剤製造等の各スケジュールを生成すると、各サイトの装置や従事者等が効率的に稼動するスケジュールが生成できなくなり、放射線検診システム全体の効率が低下する。また、放射線検診システムでは放射線を発生する薬剤を取り扱うことから、放射線検診システムにおける従事者の被曝放射線量を考慮して放射線検診システムの各スケジュールを生成することも重要となる。
【０００８】
そこで、本発明の課題は、放射線検診システム全体を高効率に稼動できるスケジュールを生成する放射線検診スケジュール生成システムおよび放射線検診システムならびに被曝放射線量予測システムを提供することにある。
【０００９】
【課題を解決するための手段】
前記課題を解決した本発明は、放射性薬剤の製造装置を備える薬剤製造サイトから陽電子放出型ＣＴを含む検診装置を備える検診サイトに放射性薬剤を供給し、検診サイトにおいて放射性薬剤を使用して被検診者に検診を行う、前記陽電子放出型ＣＴを利用した放射線検診システムにおけるスケジュールを作成する放射線検診スケジュール生成システムであって、被検診者一人当たりに投与される放射性薬剤の製造から当該放射性薬剤を投与された被検診者を検診する一台の前記検診装置の稼働までの所定期間のスケジュールをジョブの情報として、管理対象の前記検診サイトの前記検診装置ごとに、その稼働予定に基づいて、前記検診サイトからの放射性薬剤の注文前に、あらかじめ生成して第１記憶手段に記憶するジョブ生成手段と、対象の検診サイトで検診を受ける被検診者の検診予約要求、および、前記被検診者の検診の希望日時の情報を、放射性薬剤の注文として受け付けた後に、前記ジョブ生成手段によって前記ジョブの情報を前記第１記憶手段から読み出し、前記検診予約要求を送った前記検診サイトに設置された稼働可能な前記検診装置の稼働予定日時の情報の中から前記希望日時と一致する日時または当該希望日時に近い日時を選択して、当該日時の前記ジョブの情報をオーダの情報として生成して、前記被検診者の検診予約を管理する予約管理手段と、複数の前記検診サイトからの所定期間ごとの放射性薬剤の注文後に、前記予約管理手段によって生成された個々の前記オーダの情報に従って、前記薬剤製造サイトにおける放射性薬剤の製造から前記検診サイトにおける検診までの所定期間ごとの一連のスケジュールを生成するスケジュール生成手段とを備えるようにした。
【００１０】
【発明の実施の形態】
以下、図面を参照して、本発明に係る放射線検診スケジュール生成システムおよび放射線検診システムならびに被曝放射線量予測システムの実施の形態を説明する。
【００１１】
本発明に係る放射線検診スケジュール生成システムは、放射性薬剤の製造装置を備える薬剤製造サイトから陽電子放出型ＣＴを含む検診装置を備える検診サイトに放射性薬剤を供給し、検診サイトにおいて放射性薬剤を使用して被検診者に検診を行う、前記陽電子放出型ＣＴを利用した放射線検診システムにおけるスケジュールを作成する放射線検診スケジュール生成システムであって、被検診者一人当たりに投与される放射性薬剤の製造から当該放射性薬剤を投与された被検診者を検診する一台の前記検診装置の稼働までの所定期間のスケジュールをジョブの情報として、管理対象の前記検診サイトの前記検診装置ごとに、その稼働予定に基づいて、前記検診サイトからの放射性薬剤の注文前に、あらかじめ生成して第１記憶手段に記憶するジョブ生成手段と、対象の検診サイトで検診を受ける被検診者の検診予約要求、および、前記被検診者の検診の希望日時の情報を、放射性薬剤の注文として受け付けた後に、前記ジョブ生成手段によって前記ジョブの情報を前記第１記憶手段から読み出し、前記検診予約要求を送った前記検診サイトに設置された稼働可能な前記検診装置の稼働予定日時の情報の中から前記希望日時と一致する日時または当該希望日時に近い日時を選択して、当該日時の前記ジョブの情報をオーダの情報として生成して、前記被検診者の検診予約を管理する予約管理手段と、複数の前記検診サイトからの所定期間ごとの放射性薬剤の注文後に、前記予約管理手段によって生成された個々の前記オーダの情報に従って、前記薬剤製造サイトにおける放射性薬剤の製造から前記検診サイトにおける検診までの所定期間ごとの一連のスケジュールを生成するスケジュール生成手段とを備えるようにした。この放射線検診スケジュール生成システムによれば、放射性薬剤の製造から検診までのオペレーションからなるジョブの情報および各サイトの資源（装置や従事者）の情報に基づいて各サイトのスケジュールを生成するので、検診サイトや薬剤製造サイトの稼動効率が向上し、放射線検診システム全体の稼動効率が向上する。
【００１２】
さらに、この放射線検診スケジュール生成システムは、放射線検診システムにおいて薬剤製造サイトで製造した放射性薬剤を配送サイトに備えられる配送装置により検診サイトに供給している場合には、第２記憶手段は配送サイトの資源の情報も記憶し、スケジュール生成手段は配送サイトの資源の情報にも基づいて各サイトにおけるスケジュールを生成する。この放射線検診スケジュール生成システムによれば、配送サイトの稼動効率も向上する。
【００１３】
また、この放射線検診スケジュール生成システムは、前記放射線検診スケジュール生成システムにおいて、各サイトに備えられる装置の稼動予定の情報を記憶する第３記憶手段と、各装置の稼動予定の情報に基づいてジョブの情報を生成するジョブ生成手段とを備えている。さらに、このジョブ生成手段は、配送サイトに備えられる装置の稼動実績の情報から薬剤製造サイトから検診サイトまでの配送時間の情報を抽出するとともに抽出した配送時間の情報を曜日別かつ時間別に分類し、分類した配送時間の情報を参照してジョブの情報を生成する。この放射線検診スケジュール生成システムによれば、各サイトの装置の稼動予定の情報により放射線検診システム全体におけるジョブの情報を簡単に生成することができ、さらに、配送日時別の配送時間に応じてジョブの情報を生成するのでジョブの情報がスケジュールを生成するための信頼性の高い情報となる。
【００１４】
また、この放射線検診スケジュール生成システムは、前記放射線検診スケジュール生成システムにおいて、スケジュール生成手段で生成した各スケジュールを各サイトに通信回線を介して送信する。この放射線検診スケジュール生成システムによれば、各スケジュールを通信回線に介して各サイトに迅速に提供することができる。さらに、この放射線検診スケジュール生成システムは、前記放射線検診スケジュール生成システムにおいて、スケジュール生成手段は、スケジュール作成対象の検診のうち予め設定した日時になった検診に対してスケジュールを生成したり、日時決定手段において決定した日時が利用者に確認された検診に対してスケジュールを生成する。そして、利用者が日時を確認するために、放射線検診スケジュール生成システムでは、利用者に対して、被検診者の検診の希望日時の情報および日時決定手段において決定した日時を表示する。この放射線検診スケジュール生成システムによれば、予め設定した日時にスケジュールを生成することによって被検診者のキャンセルに対応できたり、利用者が確認後にスケジュールを生成することによって生成したスケジュールが無駄になるようなことはない。
【００１５】
さらに、この放射線検診スケジュール生成システムは、前記放射線検診スケジュール生成システムにおいて、スケジュール生成手段で生成した各スケジュールを各サイトに提供する対価からなる課金情報を記憶する第４記憶手段を備えており、スケジュール生成手段は生成した各スケジュールを各サイトに提供する毎に課金情報を更新し、課金情報に基づいて各サイトに課金する。この放射線検診スケジュール生成システムによれば、各サイトに対して生成したスケジュールの対価を請求でき、各サイトから受け取った代金によりシステムを運営することができる。
【００１６】
さらに、この放射線検診スケジュール生成システムは、前記放射線検診スケジュール生成システムにおいて、各サイトに備えられる装置の稼動実績の情報を記憶する第５記憶手段を備えており、スケジュール生成手段は生成したスケジュールにおける各装置の稼動時間と各装置の稼動実績の情報における稼動時間とが予め設定した時間幅以上相違した場合には各サイトにおけるスケジュールを再生成する。この放射線検診スケジュール生成システムによれば、各装置の稼動実績に応じてスケジュールを再生成することによって、各サイトでのスケジュールに対する遅延に迅速に対応することができる。
【００１７】
本発明に係る放射線検診システムは、放射性薬剤の製造装置を備える薬剤製造サイトから検診装置を備える検診サイトに放射性薬剤を供給し、検診サイトにおいて放射性薬剤を使用して被検診者に検診を行う放射線検診システムであって、前記したいずれかの放射線検診スケジュール生成システムを有しており、各サイトに、スケジュール生成手段で生成した各スケジュールに従って各サイトにおけるオペレーションを管理する管理手段を備えており、特に、放射線検診スケジュール生成システムが稼動実績の情報に基づいて各サイトにおけるスケジュールを再生成するシステムの場合には各サイトに備えられる装置の稼動実績の情報を放射性検診スケジュール生成システムに提供する提供手段も備えている。この放射線検診システムによれば、放射線検診スケジュール生成システムで生成した各スケジュールに基づいて各サイトでオペレーションが実行されることによって、放射線検診システム全体の稼動効率が向上する。なお、放射性検診スケジュール生成システムの管理運営は、放射線検診システムのいずれかのサイトで行われてもよいし、あるいは専門の事業者によって行われてもよい。したがって、この管理運営するサイトや事業者によって、各サイトに対するスケジュールの課金の仕方が変ってくる。
【００１８】
本発明に係る被曝放射線量予測システムは、放射性薬剤の製造装置を備える薬剤製造サイトから検診装置を備える検診サイトに放射性薬剤を供給し、検診サイトにおいて放射性薬剤を使用して被検診者に検診を行う放射線検診システムに携わる従事者の被曝放射線量を予測する被曝放射線量予測システムであって、従事者の作業を予め設定した被検診者一人に対するタスク単位で管理し、従事者毎の過去の所定期間において被曝した実績被曝放射線量および従事者毎の過去の所定期間におけるタスクの種類毎の実績処理数を管理する被曝放射線量管理手段と、被曝放射線量管理手段で管理する情報に基づいてタスクの種類毎にタスクを一回処理することにより従事者が被曝するタスク毎予測被曝放射線量を求める予測被曝放射線量推定手段とを備えており、予測被曝放射線量推定手段で求めたタスク毎予測被曝放射線量と将来の所定期間において各従事者が処理するタスクの種類毎の予定処理数とに基づいて将来の所定期間における各従事者の予測被曝放射線量を算出する。この被曝放射線量予測システムによれば、将来の所定期間における各従事者の被曝放射線量を予測することができ、各従事者の被曝放射線量を被曝の限度を超えないように管理することができる。
【００１９】
さらに、この被曝放射線量予測システムは、前記被曝放射線量予測システムにおいて、予測被曝放射線量推定手段は、従事者毎の過去の所定期間において被曝した実績被曝放射線量を目的変数とするとともに従事者毎の過去の所定期間におけるタスクの種類毎の実績処理数を説明変数とし、重回帰分析により各説明変数に対する偏回帰係数を求めることにより、タスク毎予測被曝放射線量を求める。この被曝放射線量予測システムによれば、タスク毎予測被曝放射線量を簡単かつ正確に求めることができる。
【００２０】
そして、この被曝放射線量予測システムのうち少なくとも予測被曝放射線量推定手段が前記いずれかの放射線検診スケジュール生成システムに備えられ、放射線検診スケジュール生成システムにおいて、各従業者の被曝放射線量が予め設定された限度被曝放射線量を超えないようにスケジュールを生成するために、被曝放射線量予測システムにおいて算出した各従事者の予測被曝放射線量を利用する。この被曝放射線量予測システムによれば、各従事者の被曝放射線量を被曝の限度を超えないように各タスクでのスケジュールを生成することができる。
【００２１】
なお、サイトは、放射線検診システムに含まれる薬剤製造事業、配送事業、検診事業等の事業者に運営される事業体であり、各事業体には事業を運営するための施設、装置や従事者等が含まれる。また、ジョブの情報は、各サイトの主要資源（放射線検診システムで特に重要な資源）毎のオペレーション（処理や作業）を一つの検診に対して時系列に配置しかつ実行可能なものがジョブであり、放射線検診システムにおける将来行う検診に対して割付可能なジョブのことである。また、サイトの資源の情報は、サイトの装置や従事者等が資源であり、各資源の個数（台数）または人数、能力、稼動予定または勤務予定等の情報である。また、装置の稼動予定の情報は、各サイトの主要資源の稼動できる予定日時を示した情報である。また、利用者は、被検診者の検診の希望日時の情報を放射性検診スケジュール生成システムに提供したり、決定した日時を確認する者であり、検診サイトの従事者や被検診者等である。また、装置の稼動実績の情報は、各サイトに備えられる装置毎の各（検診）ジョブにおける稼動開始時刻、終了時刻等の情報であり、必要に応じて各装置で取り扱う薬剤（核種）の種類や量等の情報である。また、予め設定した時間幅は、各核種の半減期に基づく時間幅であり、この時間幅を越えてスケジュールが実行されると検診に必要な核種の量が不足する時間幅である。また、課金情報は、各タスクに提供したスケジュールの対価の情報であり、放射性検診スケジュール生成システムの管理運営者によって課金の仕方が変る。また、放射線検診システムに携わる従事者は、各タスクで従事している者であり、特に、放射線を被曝する可能性のある者である。ちなみに、装置は、各サイトで使用されるものを広く含んでおり、例えば、配送サイトでの配送用車両、検診サイトでの薬剤注入器やベッド等も含む。
【００２２】
本実施の形態では、放射線検診システムにおける各サイトにスケジュールを提供する専門の事業者によるスケジューリングサービス提供サイトに放射線検診スケジュール生成システムが構築され、スケジューリングサービス提供サイト、薬剤製造サイト、配送サイトおよび多数の検診サイトから放射線検診システムが構成されている。本実施の形態に係る放射線検診システムは、３つの実施の形態がある。第１の実施の形態に係る放射線検診システムは、放射線検診スケジュール生成システムにおいて各タスクのスケジュールを生成する基本的な構成のシステムである。第２の実施の形態に係る放射線検診システムは、第１の実施の形態に係る放射線検診システムに加えて、放射線検診スケジュール生成システムにおいて各タスクから稼動予定の情報や稼動実績の情報を定期的に取り入れる構成のシステムである。第３の実施の形態に係る放射線検診システムは、第２の実施の形態に係る放射線検診システムに加えて、放射線検診スケジュール生成システムにおいて従事者の被曝放射線量を予測してスケジュールを生成する構成のシステムである。
【００２３】
まず、図６を参照して、本実施の形態で使用する用語について説明しておく。図６は、ジョブＪの構成の一例である。
【００２４】
本実施の形態における資源とは、放射線検診システムにて作成する検診詳細スケジュール、製造詳細スケジュール、配送詳細スケジュールのスケジューリングの対象となる全ての装置やそれに携わる従事者である。これらの資源のうち、放射線検診システムにおいて重要なものを主要資源と呼ぶ。
【００２５】
放射線検診システムにおいて薬剤の製造から放射線検診までの全てを含むプロセスにおいて、主要資源毎の処理や作業のまとまりをオペレーションと呼ぶことにする。また、一人の被検診者（一つの検診）に着目したオペレーションの系列であって、各種の制約条件を考慮した上で実行可能なものをジョブと呼ぶ。
【００２６】
ジョブは、それを構成するオペレーションと、各オペレーションの開始時刻、終了時刻、開始時刻における薬剤の種類や量等の情報で構成する。そして、具体的な被検診者（すなわち、被検診者に対する検診）が決定されているジョブをオーダと呼ぶ。
【００２７】
本実施の形態に係る詳細スケジュールは、オーダに基づいて全ての資源についての各種の制約条件を考慮した上で実行可能となるようにタスクを割り付けた結果であり、タスクの実行に必要な各種の資源についての開始時刻や終了時刻の情報等で構成する。ここで、タスクは、各オペレーションを分割して詳細化した作業の単位である。オペレーションが一つのタスクで構成される場合もある。
【００２８】
本実施の形態では、薬剤製造サイトにおける核種製造装置、薬剤合成装置、配送サイトにおける配送用車両、検診サイトにおける薬剤注入器、ベッド、撮像装置等の放射線検診に関係する装置と、これらの装置のオペレータ、配送者および検診の実行に関係する医師、看護婦、技師が資源である。特に、これらの資源のうち、放射線検診システムのプロセスにおいて重要であるか、あるいはその装置の購入に関し高額の設備投資を必要とする核種製造装置、薬剤合成装置、配送用車両、撮像装置が主要資源である。
【００２９】
図６には、ジョブの一例としてジョブＪを示している。ジョブＪは、放射線検診システムの主要なプロセスとして、核種製造装置を使用して核種を製造するオペレーションＭ１、薬剤合成装置を使用して薬剤を合成するオペレーションＭ２、配送用車両を使用して薬剤を薬剤製造サイトから検診サイトに配送するオペレーションＤ１および撮像装置を使用して撮像するオペレーションＣ１の４つのオペレーションで構成される。この図６では、ＴＡが時間軸であり、オペレーションＭ１は、午前４時に核種の製造を開始し、１時間後の午前５時に終了することを示している。同様に、オペレーションＭ２，Ｄ１，Ｃ１についても、それぞれの開始時刻および終了時刻が設定されている。これらは、それぞれのオペレーションにおいて実際に対応する装置における所要時間に基づき、その時間軸上における時間を決定する。このように各オペレーションは、それぞれの開始時刻と終了時刻のデータを持ち、さらに薬剤に関する種類や量に関するデータを含む情報を持っている。
【００３０】
また、各オペレーションの情報は、そのオペレーションについて開始時刻を変更し得る範囲の情報、すなわち、最早開始時刻と最遅開始時刻のデータが付与される場合がある。図６の両端に矢印を伴った実線（開始時刻変更可能範囲）ＴＷは、オペレーションＣ１に対して開始時刻を変更し得る範囲を示している。この場合、オペレーションＣ１は、午前７時から午前８時１０分の間で開始時刻を変更できることを示している。
【００３１】
なお、図６におけるオペレーションＣ１の場合、この開始時刻変更可能範囲ＴＷの大きさは、一人の被検診者に対する放射線検診で使用する薬剤の量、核種製造装置および薬剤合成装置で一人分として製造し得る薬剤の量および薬剤に含まれる核種の減衰量の関係により決定することができる。オペレーションＣ１の最早開始時刻は、その前のオペレーションＤ１の終了時刻により決定され、オペレーションＤ１の終了時刻に等しい。最遅開始時刻は、薬剤に含まれる核種の減衰を考慮し、薬剤の半減期Ｔｈから、以下の手順により決定される。
【００３２】
まず、オペレーションＭ１にて被検診者一人分として製造し得る核種の最大量ＮＭ１ｍａｘを製造した場合に、最早開始時刻の時点での薬剤の量ＮＣ１Ｔを、核種の半減期Ｔｈと薬剤合成装置における収率Ｓを考慮し、次の核種の崩壊に関する関係式（１）に基づき算出する。
【００３３】
【数１】
0004303436.tif 000002
【００３４】
次に、最早開始時刻から、薬剤の量が検診に必要な薬剤の量ＮＣ１と等しくなる時間Ｔｍａｘを次の関係式（２）から求める。
【００３５】
【数２】
0004303436.tif 000003
【００３６】
この関係式（２）から時間Ｔｍａｘを求め、それを最早開始時刻に加えることにより、最遅開始時刻を求めることができる。
【００３７】
後で説明するスケジュールを生成する処理においては、前記の開始時刻を変更し得る範囲内において、実際に適用する開始時刻が決定される。オペレーションＣ１に対して決定される開始時刻が、前記の最遅開始時刻よりも早い場合は、オペレーションＭ１において、被検診者一人分として製造すべき核種の製造量ＮＭ１は、前記の製造し得る核種の最大量ＮＭ１ｍａｘよりも少ない量で済むはずである。つまり、核種の製造後、投与までの時間が短くなるため、これによる核種の減衰量が少なくなり、製造すべき核種の量ＮＭ１は核種の最大量ＮＭ１ｍａｘより少なくて済む訳である。製造コストや原料コストを低減化するという観点からは、製造する核種の量ＮＭ１を最適な量（出来るだけ少ない量）とするほうが良い。
【００３８】
前記の最適な核種の量ＮＭ１を決定する手順を以下に説明する。オペレーションＣ１の決定された開始時刻と最早開始時刻の差を求めＴとする。次に、以下の核種の減衰に関する式（３）を解いた式（４）により最適な核種の量ＮＭ１を求める。
【００３９】
【数３】
0004303436.tif 000004
【００４０】
このようにして求めた核種の量ＮＭ１をオペレーションＭ１での核種の製造量とすることにより、無駄のない核種の製造が可能となる。
【００４１】
それでは、第１の実施の形態について説明する。
図１を参照して、第１の実施の形態に係る放射線検診システム１Ａの構成を説明する。図１は、第１の実施の形態に係る放射線検診システム１Ａの全体構成図である。
【００４２】
放射線検診システム１Ａは、放射線薬剤（以下、「薬剤」と記載する）Ｍの製造からその薬剤Ｍを用いた放射線検診までを行うシステムであり、このシステムを効率的に稼動させるために薬剤Ｍの製造からその薬剤Ｍを用いた放射線検診までの詳細なスケジュールを生成するシステムである。そのために、放射線検診システム１Ａは、薬剤製造サイト２Ａ、配送サイト３Ａ，多数の検診サイト４Ａおよびスケジューリングサービス提供サイト５Ａから構成される。特に、スケジューリングサービス提供サイト５Ａには、放射線検診スケジュール生成システム６Ａが構築される。
【００４３】
放射線検診システム１Ａでは、スケジューリングサービス提供サイト５Ａと薬剤製造サイト２Ａ、配送サイト３Ａおよび多数の検診サイト４Ａとの間が公衆電話回線、インターネットあるいは専用回線等の通信回線により接続されており、この通信回線を介して情報を送受信している。そして、放射線検診システム１Ａでは、スケジューリングサービス提供サイト５Ａにおいて各サイトの装置や従事者に対するスケジュールを生成し、このスケジュールに基づいて薬剤製造サイト２Ａで薬剤Ｍを製造し、配送サイト３Ａが製造した薬剤Ｍを検診サイト４Ａまで配送し、検診サイト４Ａで配送された薬剤Ｍを用いて被検診者に対して放射線検診を行っている。
【００４４】
図１を参照して、薬剤製造サイト２Ａについて説明する。
薬剤製造サイト２Ａは、薬剤製造メーカであり、独立した事業者によって運営されている。薬剤製造サイト２Ａでは、スケジューリングサービス提供サイト５Ａからの製造詳細スケジュールＳＭに従って薬剤Ｍを製造している。また、薬剤製造サイト２Ａでは、スケジューリングサービス提供サイト５Ａにおいて製造詳細スケジュールＳＭを生成するために、スケジューリングサービス提供サイト５Ａに資源（薬剤製造装置、従事者）の情報（装置の稼動予定の情報を含む）を提供している。なお、薬剤製造サイト２Ａでは、スケジューリングサービス提供サイト５Ａと製造スケジュール供給契約を結んでおり、スケジューリングサービス提供サイト５Ａから提供された製造詳細スケジュールＳＭに対して対価を支払う。
【００４５】
図２を参照して、薬剤製造サイト２（２Ａ）での薬剤製造プロセスについて説明する。ここでは、１８Ｆの核種を含む薬剤（ＦＤＧ：フルオロデグルコース）Ｍを製造する場合について説明する。なお、この薬剤製造プロセスは、第２および第３の実施の形態に係る薬剤製造サイト２Ｂ，２Ｃでも共通する（図１４、図１６参照）。図２は、薬剤製造サイト２の構成図である。
【００４６】
薬剤製造サイト２では、核種製造装置２ａで１８Ｆの原料となる核種（ＲＩ原料）ＮＭを処理して１８Ｆ核種Ｎを製造する。次に、薬剤製造サイト２では、薬剤合成装置２ｂで１８Ｆ核種Ｎを合成して薬剤Ｍを製造する。核種製造装置２ａは、サイクロトロン等の粒子発生装置で、加速した陽子をＲＩ原料ＮＭである１８Ｏに入射し、１８Ｏ（ｐ，ｎ）１８Ｆ核反応にて１８Ｆ核種Ｎを生成する。薬剤合成装置２ｂは、１８Ｆ核種Ｎを用いて、薬剤であるＦＤＧを合成処理する。核種製造装置２ａおよび薬剤合成装置２ｂは、装置のオペレータ（従事者）（図示せず）によって装置が操作され、必要な原料等が供給される。なお、核種製造装置２ａおよび薬剤合成装置２ｂ等は、薬剤製造サイト２で使用される装置であり、図１等では合わせて薬剤製造装置と示している。
なお、本実施の形態では、核種製造装置２ａや薬剤合成装置２ｂおよび装置のオペレータが特許請求の範囲に記載する資源の一つに相当する。
【００４７】
また、薬剤製造サイト２Ａは、スケジューリング提供サイト５Ａの放射線検診スケジュール生成システム６Ａから製造詳細スケジュールＳＭを受信し、この製造詳細スケジュールＳＭに従って核種製造装置２ａ、薬剤合成装置２ｂやオペレータを管理するために、スケジュール管理装置２ｄおよび詳細スケジュール記憶装置２ｅを備えている。
なお、第１の実施の形態では、スケジュール管理装置２ｄが特許請求の範囲に記載する管理手段の一つに相当する。
【００４８】
スケジュール管理装置２ｄおよび詳細スケジュール記憶装置２ｅは、薬剤製造サイト用スケジュール管理ソフトウエアによってパーソナルコンピュータ（以下、「パソコン」と記載する）（図示せず）に構成される。また、このパソコンは、放射線検診スケジュール生成システム６Ａと情報を送受信するために通信制御装置（図示せず）を備えており、特に、インターネットで情報を送受信する場合にはＷＷＷブラウザ[World Wide Web]を備えている。通信制御装置は、モデム、ＤＳＵ[Digital Service Unit]等から構成されている。
【００４９】
スケジュール管理装置２ｄについて説明する。
スケジュール管理装置２ｄは、パソコンの主制御装置（図示せず）に構成され、核種製造装置２ａおよび薬剤合成装置２ｂと通信ケーブルにより接続している。スケジュール管理装置２ｄでは、前記した通信制御装置で放射線検診スケジュール生成システム６Ａから製造詳細スケジュールＳＭを受信すると、製造詳細スケジュールＳＭを詳細スケジュール記憶装置２ｅに格納する。そして、スケジュール管理装置２ｄでは、製造詳細スケジュールＳＭに従って、核種製造装置２ａで製造する核種の種類や量、装置の稼動開始時刻、稼動終了時刻等を管理するとともに、薬剤合成装置２ｂで合成する薬剤Ｍの種類や量、装置の稼動開始時刻、稼動終了時刻等を管理する。また、スケジュール管理装置２ｄでは、製造詳細スケジュールＳＭに従って、どのオペレータ（従事者）を、どのタスクに、何時〜何時まで従事させるのか等のオペレータの勤務内容を管理する。
【００５０】
さらに、スケジュール管理装置２ｄでは、放射線検診スケジュール生成システム６Ａで製造詳細スケジュールＳＭを生成するために、資源の情報を放射線検診スケジュール生成システム６Ａに送信する。資源の情報としては、核種製造装置２ａについての台数、製造できる核種の種類、製造能力、稼動予定等、薬剤合成装置２ｂについての台数、合成できる薬剤Ｍの種類、製造能力、稼動予定等および各オペレータの勤務予定である。稼動予定は、各装置の稼動できる日、各稼動日において稼動できる開始時刻と終了時刻およびメンテナンス等で稼動できない日時等である。勤務予定は、各オペレータの勤務する日、各勤務日において勤務できる開始時刻と終了時刻および有給等で勤務できない日等である。
【００５１】
詳細スケジュール記憶装置２ｅについて説明する。
詳細スケジュール記憶装置２ｅは、パソコンの記憶装置（ハードディスク等）に構成される。詳細スケジュール記憶装置２ｅには、スケジュール管理装置２ｄによって製造詳細スケジュールＳＭが格納される。
【００５２】
図１を参照して、配送サイト３Ａについて説明する。
配送サイト３Ａは、運送会社であり、独立した事業者によって運営されている。配送サイト３Ａでは、スケジューリングサービス提供サイト５Ａからの配送詳細スケジュールＳＤに従って薬剤Ｍを配送している。また、配送サイト３Ａでは、スケジューリングサービス提供サイト５Ａにおいて配送詳細スケジュールＳＤを生成するために、スケジューリングサービス提供サイト５Ａに資源（配送用車両、従事者）の情報（装置の稼動予定の情報を含む）を提供している。なお、配送サイト３Ａでは、スケジューリングサービス提供サイト５Ａと配送スケジュール供給契約を結んでおり、スケジューリングサービス提供サイト５Ａから提供された配送詳細スケジュールＳＤに対して対価を支払う。
【００５３】
配送サイト３Ａでは、複数の配送用車両３ａを所有しており、配送用車両３ａにより薬剤製造サイト２Ａから検診サイト４Ａに薬剤Ｍを配送する。各配送用車両３ａには一人あるいは二人の配送者（従事者）（図示せず）が割り当てられ、配送者によって配送用車両３ａの運転や薬剤Ｍの持ち運びが行われる。なお、配送サイト３Ａでは、薬剤製造サイト２Ａと検診サイト４Ａの位置関係により、配送用車両３ａ以外にも航空機や鉄道を利用する場合がある。また、配送サイト３Ａでは、薬剤製造サイト２Ａと検診サイト４Ａとが近距離の場合には、配送者が徒歩で配送する。なお、配送用車両３ａが、配送サイト３Ａで使用される配送装置である。
なお、本実施の形態では、配送用車両３ａおよび配送者が特許請求の範囲に記載する資源の一つに相当する。
【００５４】
また、配送サイト３Ａは、スケジューリング提供サイト５Ａの放射線検診スケジュール生成システム６Ａから配送詳細スケジュールＳＤを受信し、この配送詳細スケジュールＳＤに従って配送用車両３ａおよび配送者を管理するために、スケジュール管理装置３ｄおよび詳細スケジュール記憶装置３ｅを備えている。
なお、第１の実施の形態では、スケジュール管理装置３ｄが特許請求の範囲に記載する管理手段の一つに相当する。
【００５５】
スケジュール管理装置３ｄおよび詳細スケジュール記憶装置３ｅは、配送サイト用スケジュール管理ソフトウエアによってパソコン（図示せず）に構成される。また、このパソコンは、放射線検診スケジュール生成システム６Ａと情報を送受信するために通信制御装置（図示せず）を備えており、特に、インターネットで情報を送受信する場合にはＷＷＷブラウザを備えている。通信制御装置は、モデム、ＤＳＵ等から構成されている。
【００５６】
スケジュール管理装置３ｄについて説明する。
スケジュール管理装置３ｄは、パソコンの主制御装置（図示せず）に構成され、配送用車両３ａと移動電話回線を介して通信可能である。スケジュール管理装置３ｄでは、前記した通信制御装置で放射線検診スケジュール生成システム６Ａから配送詳細スケジュールＳＤを受信すると、配送詳細スケジュールＳＤを詳細スケジュール記憶装置３ｅに格納する。そして、スケジュール管理装置３ｄでは、配送詳細スケジュールＳＤに従って、配送用車両３ａで配送する薬剤Ｍの種類と量、配送する薬剤製造サイト２Ａ（必要に応じて所在地や地図）と検診サイト４Ａ（必要に応じて所在地や地図）、薬剤製造サイト２Ａからの薬剤Ｍの受取時間、検診サイト４Ａへの薬剤Ｍの受渡時間等を管理する。また、スケジュール管理装置３ｄでは、配送詳細スケジュールＳＤに従って、どの配送者（従事者）を、どのタスクに、何時〜何時まで従事させるのか等の配送者の勤務内容を管理する。
【００５７】
さらに、スケジュール管理装置３ｄでは、放射線検診スケジュール生成システム６Ａで配送詳細スケジュールＳＤを生成するために、資源の情報を放射線検診スケジュール生成システム６Ａに送信する。資源の情報としては、配送用車両３ａについての台数、稼動予定等および各オペレータの勤務予定である。稼動予定は、各配送用車両３ａの稼動できる日、各稼動日において稼動できる開始時刻と終了時刻および車検や整備等で稼動できない日時等である。勤務予定は、各配送者の勤務する日、各勤務日において勤務できる開始時刻と終了時刻および有給等で勤務できない日等である。
【００５８】
詳細スケジュール記憶装置３ｅについて説明する。
詳細スケジュール記憶装置３ｅは、パソコンの記憶装置（ハードディスク等）に構成される。詳細スケジュール記憶装置３ｅには、スケジュール管理装置３ｄによって配送詳細スケジュールＳＤが格納される。
【００５９】
図１を参照して、検診サイト４Ａについて説明する。
検診サイト４Ａは、検診施設（例えば、病院）であり、独立した事業者によって運営されている。検診サイト４Ａでは、スケジューリングサービス提供サイト５Ａからの検診詳細スケジュールＳＣに従って放射線検診を行っている。また、検診サイト４Ａでは、スケジューリングサービス提供サイト５Ａにおいて検診詳細スケジュールＳＣを生成するために、スケジューリングサービス提供サイト５Ａに資源（検診装置、従事者）の情報（装置の稼動予定の情報を含む）を提供している。なお、検診サイト４Ａでは、スケジューリングサービス提供サイト５Ａと検診スケジュール供給契約を結んでおり、スケジューリングサービス提供サイト５Ａから提供された検診詳細スケジュールＳＣに対して対価を支払う。
【００６０】
図３を参照して、検診サイト４（４Ａ）での検診プロセスについて説明する。なお、この検診プロセスは、第２および第３の実施の形態に係る検診サイ４Ｂ，４Ｃでも共通する（図１４、図１６参照）。図３は、検診サイト４の構成図である。
【００６１】
検診サイト４では、薬剤Ｍを薬剤注入器４ａにより被検診者ＭＣに対して投与（血管内に注射）する。次に、検診サイト４では、被検診者ＭＣの体内に薬剤Ｍが拡散し、癌等に吸収されるまでベッド４ｂにて安静状態で被検診者ＭＣを待機させる。続いて、検診サイト４では、ＰＥＴ用の撮像装置４ｃを用いて、被検診者ＭＣの体内における放射線の計測を行う。そして、検診サイト４Ａでは、被検診者ＭＣの体内の放射能の減衰を待つため、ベッド４ｂにて被検診者ＭＣを待機させる。また、このときＰＥＴ用の撮像装置４ｃにて計測したデータは、データベース４ｆに一旦保存しておく。そして、このデータをデータ処理装置４ｇによって処理し、被検診者ＭＣの体内における放射線の分布を算出する。この結果を医師ＤＣが分析し、癌の有無等を判断し、面談により被検診者ＭＣに説明する。薬剤注入器４ａによる投与、撮像装置４ｃの操作や被検診者の対応等は、医師、看護婦、専門の技師等（従事者）によって行われる。なお、薬剤注入器４ａ、ベッド４ｂ、撮像装置４ｃ等は、検診サイト４Ａで使用される装置であり、図１等では合わせて検診装置と示している。
なお、本実施の形態では、薬剤注入器４ａ、ベッド４ｂ、撮像装置４ｃおよび医師、看護婦、専門の技師が特許請求の範囲に記載する資源の一つに相当する。
【００６２】
また、検診サイト４Ａは、スケジューリング提供サイト５Ａの放射線検診スケジュール生成システム６Ａから検診詳細スケジュールＳＣを受信し、この検診詳細スケジュールＳＣに従って薬剤注入器４ａ、ベッド４ｂ、撮像装置４ｃおよび医師、看護婦、専門の技師を管理するために、スケジュール管理装置４ｄ、詳細スケジュール記憶装置４ｅおよび検診情報入出力装置４ｈを備えている。
なお、第１の実施の形態では、スケジュール管理装置４ｄが特許請求の範囲に記載する管理手段の一つに相当する。
【００６３】
スケジュール管理装置４ｄ、詳細スケジュール記憶装置４ｅおよび検診情報入出力装置４ｈは、検診サイト用スケジュール管理ソフトウエアによってパソコン（図示せず）に構成される。また、このパソコンは、放射線検診スケジュール生成システム６Ａと情報を送受信するために通信制御装置（図示せず）を備えており、特に、インターネットで情報を送受信する場合にはＷＷＷブラウザ[World Wide Web]を備えている。通信制御装置は、モデム、ＤＳＵ等から構成されている。
【００６４】
スケジュール管理装置４ｄについて説明する。
スケジュール管理装置４ｄは、パソコンの主制御装置（図示せず）に構成され、撮像装置４ｃと通信ケーブルにより接続している。スケジュール管理装置４ｄでは、前記した通信制御装置で放射線検診スケジュール生成システム６Ａから検診詳細スケジュールＳＣを受信すると、検診詳細スケジュールＳＣを詳細スケジュール記憶装置４ｅに格納する。そして、スケジュール管理装置４ｄでは、検診詳細スケジュールＳＣに従って、薬剤注入器４ａで投与する薬剤Ｍの種類や量、投与する時刻、投与する被検診者の名前や被検診者ＩＤ等を管理するとともに、ベッド４ｂを使用する開始時刻、被検診者の待機時間、使用する被検診者の名前や被検診者ＩＤ等を管理するとともに、撮像装置４ｃを使用する開始時刻と終了時刻、被検診者の名前や被検診者ＩＤ等を管理する。また、スケジュール管理装置４ｄでは、検診詳細スケジュールＳＣに従って、どの医師、看護婦、技師（従事者）を、どのタスクに、何時〜何時まで従事させるのか等の医師、看護婦、技師の勤務内容を管理する。
【００６５】
さらに、スケジュール管理装置４ｄでは、放射線検診スケジュール生成システム６Ａで検診詳細スケジュールＳＣを生成するために、資源の情報を放射線検診スケジュール生成システム６Ａに送信する。資源の情報としては、薬剤注入器４ａについての個数等、ベッド４ｂの台数等、撮像装置４ｃについての台数、稼動予定等および各医師、看護婦、技師の勤務予定である。稼動予定は、各装置の稼動できる日、各稼動日において稼動できる開始時刻と終了時刻およびメンテナンス等で稼動できない日時等である。勤務予定は、各医師、看護婦、技師の勤務する日、各勤務日において勤務できる開始時刻と終了時刻および有給等で勤務できない日等である。
【００６６】
詳細スケジュール記憶装置４ｅについて説明する。
詳細スケジュール記憶装置４ｅは、パソコンの記憶装置（ハードディスク等）に構成される。詳細スケジュール記憶装置４ｅには、スケジュール管理装置４ｄによって検診詳細スケジュールＳＣおよび検診情報入出力装置４ｈによって関連付けした検診予約要求ＱＲと予約結果ＲＲが格納される。
【００６７】
図４および図５を参照して、検診情報入出力装置４ｈについて説明する。図４は、検診予約画面４ｉの一例である。図５は、検診予約結果画面４ｋの一例である。
検診情報入出力装置４ｈは、制御部としてはパソコンの主制御装置に構成され、パソコンの入出力装置（図示せず）がその主な役割を果たす。入出力装置は、キーボード、マウス、ディスプレイ、プリンタ等から構成されている。
【００６８】
ある被検診者が検診の予約を行うと、検診情報入出力装置４ｈでは、オペレータの指令に応じてディスプレイに検診予約画面４ｉを表示する（図４参照）。すると、オペレータは、被検診者の希望に応じて、検診予約画面４ｉに対して検診サイト、検診種別、放射線検診システム１Ａにおいて各被検診者を識別するためのコード（記号）である被検診者ＩＤおよび検診希望日と時刻を入力する。図４に示す例では、検診予約画面４ｉに、検診サイトとしてＡ検診サイト、検診種別としてＦＤＧ−ＰＥＴ、被検診者ＩＤとしてＰ０１、検診希望日時として２００１年６月１４日午前８時と入力している。オペレータによって検診予約画面４ｉに入力後に送信ボタン４ｊが押されると、検診情報入出力装置４ｈでは、検診予約画面４ｉに入力された情報を検診予約要求ＱＲとして放射線検診スケジュール生成システム６Ａに送信する。
なお、本実施の形態では、検診情報入出装置４ｈを操作するオペレータが特許請求の範囲に記載する利用者に相当する。
【００６９】
放射線検診スケジュール生成システム６Ａからの検診の予約の結果（予約結果ＲＲ）を受信すると、検診情報入出力装置４ｈでは、ディスプレイにその予約結果ＲＲを書き込んだ検診予約結果画面４ｋを表示する。すると、オペレータは、検診予約結果画面４ｋの検診サイト、検診種別、被検診者ＩＤおよび検診希望日と時刻を確認し、さらに放射線検診スケジュール生成システム６Ａで決定した予約結果として検診の開始日と時刻および使用撮像装置を確認する。図５に示す例では、図４に示す検診の予約要求に対し、２００１年６月１４日午前８時にＡ検診サイトの撮像装置１を使用して検診を行うことが可能であることを示している。これは、同時に、この日時にＦＤＧの薬剤Ｍを供給できることを意味している。ちなみに、決定した検診開始日時が検診希望日時と異なる場合、オペレータは被検診者に連絡を取り、決定した検診開始日時で良いか確認し、良くない場合には被検診者から検診希望日時を再度聴く。
【００７０】
そして、オペレータは、検診予約結果画面４ｋに表示された予約結果に同意する場合には検診予約結果画面４ｋの登録ボタン４ｌをマウスを操作してクリックし、検診希望日時を変更する場合には変更ボタン４ｍをマウスを操作してクリックし、被検診者と連絡が取れない等によって現時点で判断できない場合には終了ボタン４ｎをマウスを操作してクリックする。すると、検診情報入出力装置４ｈでは、このクリックされたボタンの情報を放射線検診スケジュール生成システム６Ａに送信する。また、登録ボタン４ｌがクリックされた場合、検診情報入出力装置４ｈでは、検診予約要求ＱＲと予約結果ＲＲを関連付けして詳細スケジュール記憶装置４ｅに格納する。変更ボタン４ｍがクリックされた場合、検診情報入出力装置４ｈでは、再度、検診予約画面４ｉを表示する。終了ボタン４ｌがクリックされた場合、検診情報入出力装置４ｈでは、検診予約結果画面４ｋを消去する。
【００７１】
図１を参照して、スケジューリングサービス提供サイト５Ａについて説明する。
スケジューリングサービス提供サイト５Ａは、スケジューリングサービス会社であり、独立した事業者によって運営されている。スケジューリングサービス提供サイト５Ａでは、薬剤製造サイト２Ａ、配送サイト３Ａおよび検診サイト４Ａからの資源の情報（主要資源の稼動予定の情報を含む）と検診サイト４Ａからの検診予約の要求に基づいて製造詳細スケジュールＳＭ、配送詳細スケジュールＳＤおよび検診詳細スケジュールＳＣを生成し、各詳細スケジュールＳＭ，ＳＤ，ＳＣを各サイト２Ａ，３Ａ，４Ａに送信している。そのため、スケジューリングサービス提供サイト５Ａでは、検診サイト４Ａで行う放射線検診の予約管理も行っている。このような処理を行うために、スケジューリングサービス提供サイト５Ａには、放射線検診スケジュール生成システム６Ａが構築されている。なお、スケジューリングサービス提供サイト５Ａでは、各サイト２Ａ，３Ａ，４Ａと各スケジュール供給契約を結んでおり、各サイト２Ａ，３Ａ，４Ａからの詳細スケジュールＳＭ、ＳＤ，ＳＣに対して支払われる代金によって事業を運営している。
【００７２】
放射線検診スケジュール生成システム６Ａについて説明する。
放射線検診スケジュール生成システム６Ａは、予約管理装置６ａ、詳細スケジュール生成装置６ｂ、ジョブ記憶装置６ｃ、オーダ記憶装置６ｄ、資源情報記憶装置６ｅ、詳細スケジュール記憶装置６ｆおよび課金情報記憶装置６ｇを備えている。
なお、第１の実施の形態では、予約管理装置６ａが特許請求の範囲に記載する日時決定手段に相当し、詳細スケジュール生成装置６ｂが特許請求の範囲に記載するスケジュール生成手段に相当し、ジョブ記憶装置６ｃが特許請求の範囲に記載する第１記憶手段に相当し、資源情報記憶装置６ｅが特許請求の範囲に記載する第２記憶手段に相当し、課金情報記憶装置６ｇが特許請求の範囲に記載する第４記憶手段に相当する。
【００７３】
放射線検診スケジュール生成システム６Ａは、放射線検診スケジュール生成ソフトウエアによってサーバコンピュータ（以下、「サーバ」と記載する）（図示せず）に構成される。また、このサーバは、各サイト２Ａ，３Ａ，４Ａと情報を送受信するために通信制御装置（図示せず）を備えており、特に、インターネットで情報を送受信する場合にはＷＷＷサーバプログラムを備えている。通信制御装置は、モデム、ＤＳＵ等から構成されている。
【００７４】
予約管理装置６ａについて説明する。
予約管理装置６ａは、サーバの主制御装置（図示せず）に構成されている。予約管理装置６ａは、検診サイト４Ａから検診予約要求ＱＲが送信されると、ジョブ記憶装置６ｃに格納されているジョブスケジュールＳＪを読み出し、ジョブスケジュールＳＪから検診予約要求ＱＲの検査サイトや検診希望日時に適合するジョブを抽出する（図４、図７参照）。この抽出では、まず、図７に示すように、ジョブＪ１，・・・には撮像装置別にオペレーションＣ１，・・・が設定されているので（図７では、オペレーションＣ１，Ｃ２，Ｃ３は、異なる撮像装置によるオペレーションである）、該当する検診サイト４Ａの撮像装置のオペレーションのジョブを抽出する。さらに、抽出したジョブの中から、開始時刻変更可能範囲ＴＷに検診希望日時が入るジョブを抽出する。例えば、図７のジョブスケジュールＳＪにおいて検診予約要求ＱＲに適合する検査サイト４Ａで使用される撮像装置によるオペレーションがＣ１とＣ２の場合、まず、ジョブＪ１，Ｊ２，Ｊ４，Ｊ５を抽出し、検診希望日時が午前８時の場合、ジョブＪ１またはジョブＪ２を抽出する。なお、ジョブスケジュールＳＪは、資源情報記憶装置６ｅに記憶されている各サイト２Ａ，３Ａ，４Ａの各主要装置の稼動予定の情報に基づいて予め作成しているジョブＪ１，・・・を、将来の一定期間（例えば、一ヶ月）分、日時順に配列したものである。ジョブスケジュールＳＪについては、後で詳細に説明する。
【００７５】
検診予約要求ＱＲを満たすジョブＪを抽出できた場合、予約管理装置６ａは、決定した検診開始日時および撮像装置の情報を含む予約結果ＲＲを検診サイト４Ａに送信する（図５参照）。そして、予約管理装置６ａでは、検診サイト４Ａから検診予約結果画面４ｋでのボタン４ｌ，４ｍ，４ｎのクリックされた情報を待つ（図５参照）。登録ボタン４ｌの情報の場合、予約管理装置６ａは、そのジョブＪをジョブスケジュールＳＪから削除し、さらに、そのジョブＪをオーダとして設定し、オーダ記憶装置６ｄにそのオーダおよび検診予約要求ＱＲと予約結果ＲＲを関連付けして格納する（図１１参照）。
【００７６】
検診予約要求ＱＲを満たすジョブＪを抽出できなかった場合、予約管理装置６ａは、検診予約要求ＱＲの検診希望日時に最も近いジョブＪをジョブスケジュールＳＪから抽出する。そして、予約管理装置６ａは、その抽出したジョブＪの検診開始日時および撮像装置の情報を含む予約結果ＲＲを検診サイト４Ａに送信する（図５参照）。そして、予約管理装置６ａでは、検診サイト４Ａから検診予約結果画面４ｋでのボタン４ｌ，４ｍ，４ｎのクリックされた情報を待つ（図５参照）。登録ボタン４ｌの情報の場合、予約管理装置６ａは、そのジョブＪをジョブスケジュールＳＪから削除し、さらに、そのジョブＪをオーダとして設定し、オーダ記憶装置６ｄにそのオーダおよび検診予約要求ＱＲと予約結果ＲＲを関連付けして格納する（図１１参照）。変更ボタン４ｍの情報の場合、予約管理装置６ａは、検診予約要求ＱＲの再送信を待つ。終了ボタン４ｎの情報の場合、予約管理装置６ａは、処理を終了する。
【００７７】
詳細スケジュール生成装置６ｂについて説明する。
詳細スケジュール生成装置６ｂは、サーバの主制御装置（図示せず）に構成されている。詳細スケジュール生成装置６ｂでは、オーダ記憶装置６ｄに格納されているオーダスケジュールＳＯ（図１２参照）と資源記憶装置６ｅに格納されている各サイト２Ａ，３Ａ，４Ａの資源の情報に基づいて各サイト２Ａ，３Ａ，４Ａにおける詳細スケジュールＳＭ，ＳＤ，ＳＣを生成する。この際、詳細スケジュール生成装置６ｂでは、詳細スケジュールＳＭ，ＳＤ，ＳＣのオペレーションにおいて詳細化が必要なオペレーションについてタスク展開スケジュールを生成する。詳細化が必要なオペレーションは、複数のタスクに分割する必要があるオペレーションであり、検診サイト４Ａでのオペレーションのように撮像装置４ｃ以外にも薬剤注入器４ａやベッド４ｂ等および医師、看護婦や技師等の多くの資源が関係するオペレーションである。そして、詳細スケジュール生成装置６ｂは、この詳細スケジュールＳＭ．ＳＤ，ＳＣおよびタスク展開スケジュールを詳細スケジュール記憶装置６ｆに格納するとともに、詳細スケジュールＳＭ．ＳＤ，ＳＣを各サイト２Ａ，３Ａ，４Ａに送信する。さらに、詳細スケジュール生成装置６ｂは、詳細スケジュールＳＭ．ＳＤ，ＳＣを送信する毎に、課金情報記憶装置６ｇに格納されている課金の情報を更新し、この課金の情報を再格納する。なお、オーダスケジュールＳＯは、予約管理装置６ａで設定され、オーダ記憶装置６ｄに格納されたオーダＯを、将来の一定期間（例えば、数日）分時系列で配列したものである。
【００７８】
図７を参照して、ジョブ記憶装置６ｃについて説明する。図７は、割付可能なジョブＪ１，・・・からなるジョブスケジュールＳＪの一例である。
ジョブ記憶装置６ｃは、サーバの記憶装置（ハードディスク等）に構成される。ジョブ記憶装置６ｃは、各サイト２Ａ，３Ａ，４Ａにおいて実際に実行可能で、将来の一定期間（例えば、一ヶ月）にわたるジョブＪ１，・・・を時系列で配列したジョブスケジュールＳＪとして格納している。このジョブスケジュールＳＪのジョブＪ１，・・・は、予約された検診を割り付けることができるジョブなので、特に、割付可能なジョブと呼ぶ。各ジョブＪ１，・・・は、各サイト２Ａ，３Ａ，４Ａの各主要装置（核種製造装置２ａ、薬剤合成装置２ｂ、配送用車両３ａ、撮像装置４ｃ）の稼動予定の情報に基づいて予め作成したものである。
なお、本実施の形態では、ジョブスケジュールＳＪが特許請求の範囲に記載するジョブの情報に相当する。
【００７９】
図７のジョブスケジュールＳＪの例には、ジョブＪ１〜Ｊ６の６個のジョブが示されている。これらの６個のジョブＪ１〜Ｊ６のうち、Ｃ１とＣ２のオペレーションは、例えば、Ａ検診サイト４Ａの２台の撮像装置４ｃ，４ｃを各々使用するオペレーションであり、Ｃ３のオペレーションは、Ｂ検診サイト４Ａの一台の撮像装置４ｃを使用するオペレーションである。つまり、ジョブＪ１、ジョブＪ２、ジョブＪ４およびジョブＪ５の４つのジョブは、Ａ検診サイト４Ａでのジョブであり、ジョブＪ３およびジョブＪ６の２つのジョブは、Ｂ検診サイト４Ａでのジョブである。また、図７のジョブスケジュールＳＪにおいて、同一の時間帯において同一の名前で示したオペレーション（バッチオペレーションと呼ぶ）、例えば、ジョブＪ１〜Ｊ６のＭ１は、同一の装置（薬剤製造サイト２Ａの核種製造装置２ａ）を用いて処理することを意味している。というのは、核種Ｎの製造や薬剤Ｍの合成に関するオペレーションは（図２参照）、一台の装置で一度に複数の被検診者に投与できる量の薬剤Ｍを処理するバッチ処理が可能である。バッチオペレーションは、このような、同一の装置で複数のジョブを同時に処理するオペレーションである。
【００８０】
また、図７において、ジョブＪ１，Ｊ２のバッチオペレーションＤ１とジョブＪ３のオペレーションＤ２とは、共に薬剤Ｍを配送するオペレーションであるが、ジョブＪ１，Ｊ２では薬剤製造サイト２ＡからＡ検診サイト４Ａに対して薬剤Ｍ，Ｍを配送し、ジョブＪ３では薬剤製造サイト２ＡからＢ検診サイト４Ａに対して薬剤Ｍを配送する点が異なる。配送先が異なるということから、各オペレーションＤ１，Ｄ２で使用する主要資源（配送用車両３ａ）は別々のものを使用し、また各配送時間も異なっている。本実施の形態においては、ジョブ記憶装置６ｃに格納しているジョブＪ１，・・・の作成にあたっては、薬剤製造サイト２Ａと各検診サイト４Ａ，・・・間の距離や、各配送のオペレーションＤ１，Ｄ２を実行する時間帯における道路交通事情等を考慮した上で、オペレーションＤ１，Ｄ２の時間を設定している。
【００８１】
なお、図７に示したジョブスケジュールＳＪでは薬剤製造サイト２Ａから各検診サイト４Ａ，・・・へは別々の配送用車両３ａ，・・・を使用して配送するスケジュールが示されているが、一台の配送用車両３ａを使用して各検診サイト４Ａ，・・・を順次巡回して配送するスケジュールとすることも可能である。この場合、配送の途中で経由する各検診サイト４Ａ，・・・における配送の次のオペレーションである撮像のオペレーション（例えば、Ｃ１）の開始時刻（最早開始時刻）は配送用車両３ａの到着予定時刻とすれば良い。
【００８２】
オーダ記憶装置６ｄについて説明する。
オーダ記憶装置６ｄは、サーバの記憶装置（ハードディスク等）に構成される。オーダ記憶装置６ｄは、ジョブ記憶装置６ｃに格納されているジョブスケジュールＳＪの割付可能なジョブＪ１，・・・のうち（図７参照）、予約管理装置６ａで設定したオーダＯＲ１，・・・（確定したジョブ）を、オーダスケジュールＳＯとして将来の一定期間（例えば、数日）分時系列で配列して格納している（図１２参照）。なお、オーダＯＲ１，・・・には検診予約要求ＱＲと予約結果ＲＲも関連付けられて格納されている。
【００８３】
資源情報記憶装置６ｅについて説明する。
資源情報記憶装置６ｅは、サーバの記憶装置（ハードディスク等）に構成される。資源情報記憶装置６ｅは、各タスク２Ａ，３Ａ，４Ａから送信された資源の情報および後で説明するオペレーションを構成するタスクの情報を格納している。
【００８４】
図８および図９を参照して、詳細スケジュール記憶装置６ｆについて説明する。図８は、検診サイト４Ａでの詳細スケジュールＳＣの一例である。図９は、検診サイト４Ａでのタスク展開スケジュールＳＴの一例である。
詳細スケジュール記憶装置６ｆは、サーバの記憶装置（ハードディスク等）に構成される。詳細スケジュール記憶装置６ｆは、各サイト２Ａ，３Ａ，４Ａの詳細スケジュールＳＭ，ＳＤ，ＳＣおよび必要に応じて詳細スケジュールＳＭ，ＳＤ，ＳＣのタスク展開スケジュールＳＴを格納している。詳細スケジュールＳＭ，ＳＤ，ＳＣは、各サイト２Ａ，３Ａ，４Ａの資源毎に、処理するオーダＯＲ１，・・・を時間軸上に配置したものであり、各オーダＯＲ１，・・・におけるオペレーション（タスク）に割り付けられた資源の開始時刻、終了時刻等の情報で構成する（図１２参照）。つまり、オーダＯＲ１，・・・の各オペレーションに、各薬剤製造装置２ａ，２ｂの稼動予定、配送用車両３ａの稼動予定および各検診装置４ａ，４ｂ，４ｃの稼動予定ならびに各サイト２Ａ，３Ａ，４Ａの従事者の勤務予定に基づいて、各薬剤製造装置２ａ，２ｂ、配送用車両３ａおよび各検診装置４ａ，４ｂ，４ｃならびに各サイト２Ａ，３Ａ，４Ａの従事者を割り当てていく。図８に示すＡ検診サイト４Ａの詳細スケジュールＳＣの例では、例えば、薬剤注入器４ａは、午前７時から７時１０分の間はオーダＯＲ２に割り当てられ、午前８時から８時１０分の間はオーダＯＲ１に割り当てられ、午前９時から９時１０分の間はオーダＯＲ５に割り当てられ、午前１０時から１０時１０分の間はオーダＯＲ４に割り当てられている。
なお、本実施の形態では、製造詳細スケジュールＳＭ、配送詳細スケジュールＳＤおよび検診詳細スケジュールＳＣが特許請求の範囲に記載するスケジュールに相当する。
【００８５】
また、詳細スケジュールＳＭ，ＳＤ，ＳＣは、タスクに基づいて生成している。前記したように、タスクは、各オペレーションを分割して詳細化したものであり、詳細スケジュールＳＭ，ＳＤ，ＳＣを作成する上で資源の制約等を判定するために作成する中間的なデータである。タスク展開スケジュールは、タスクを時間軸上に配置したものであり、タスクの開始時刻、終了時刻およびタスクに割り付けられた資源の開始時刻、終了時刻等の情報で構成する。図９には、図６のオペレーションＣ１をタスクに展開したタスク展開スケジュールＳＴを示している。このタスク展開スケジュールＳＴでは、オペレーションＣ１がタスクＴ１、タスクＴ２、タスクＴ３の３つのタスクで構成されることを示している。タスクＴ１は、被検診者に薬剤Ｍを注入する作業であり、資源として薬剤注入器、ベッド１および従事者１（医師）と従事者２（看護婦）を必要とする。タスクＴ２は、被検診者の体内の放射線を撮像する作業であり、撮像装置１、従事者３（技師）と従事者２（看護婦）を必要とする。タスクＴ３は、被検診者の撮像を終えた後に、体内の放射能の減衰を待つ作業であり、ベッド１および従事者１（医師）と従事者２（看護婦）を必要とする。さらに、例えば、タスクＴ１では、薬剤注入器および従事者１は午前８時から８時１０分の間で必要であり、従事者２は午前８時から８時２０分の間で必要であり、ベッド１は午前８時１０分から午前９時の間で必要である。なお、各オペレーションを構成するタスクは、オペレーションの種類が同じであれば、それを構成するタスクも同一である。また、これらのタスク内における必要資源は、タスク毎に同一である。
【００８６】
課金情報記憶装置６ｇについて説明する。
課金情報記憶装置６ｇは、サーバの記憶装置（ハードディスク等）に構成される。課金情報記憶装置６ｇは、各サイト２Ａ，３Ａ，４Ａに対する課金の情報を格納している。課金の情報は、各サイト２Ａ，３Ａ，４Ａに詳細スケジュールＳＭ，ＳＤ，ＳＣを提供するサービスに対する対価に関する情報である。この課金は、詳細スケジュールＳＭ，ＳＤ，ＳＣを一回（一日分）送信する毎の単価を定め、これに基づいて代金を算出する。課金情報記憶装置６ｇは、これらの代金を計算するために、詳細スケジュールＳＭ，ＳＤ，ＳＣを送信した回数のデータを保持している。スケジューリングサービス提供サイト５Ａでは、課金情報記憶装置６ｇに格納している課金の情報に基づいて一定期間毎（例えば、一ヶ月毎）に各サイト２Ａ，３Ａ，４Ａに代金を請求し、各サイト２Ａ，３Ａ，４Ａから代金を徴収する。
【００８７】
次に、図１乃至図９を参照して、放射線検診システム１Ａでの処理の流れを図１０のフローチャートに沿って説明する。図１０は、放射線検診システム１Ａにおける処理の流れを示すフローチャートである。
【００８８】
検診サイト４Ａでは、被検診者によって検診の予約が行われると、検診予約要求ＱＲを放射線検診スケジュール生成システム６Ａに送信する。放射線検診スケジュール生成システム６Ａでは、常時、検診予約要求ＱＲを受信待ちしており、検診予約要求ＱＲを受信したかどうかを判定する（Ｓ１）。そして、検診予約要求ＱＲを受信しなかった場合、放射線検診スケジュール生成システム６Ａでは、ステップＳ３の処理に移行する。
【００８９】
一方、検診予約要求ＱＲを受信した場合、放射線検診スケジュール生成システム６Ａでは、ジョブ記憶装置６ｃに格納されているジョブスケジュールＳＪから、検診予約要求ＱＲの条件を全て満たすか、あるいは検診希望時刻にできるだけ近いジョブＪを抽出するとともに、検診開始日時（薬剤Ｍの供給が可能な日時）および撮像装置４ｃを決定し、その予約結果ＲＲを生成する（Ｓ２）。そして、その予約結果ＲＲを検診予約要求ＱＲを送信した検診サイト４Ａに送信する。このとき、この予約結果ＲＲが検診サイト４Ａで承認された場合（つまり、検診予約結果画面４ｋの登録ボタン４ｌがクリックされた情報が送信された場合）、放射線検診スケジュール生成システム６Ａでは、抽出したジョブＪの検診の開始時間を設定してオーダを生成し、このオーダをオーダ記憶装置６ｄに格納する（Ｓ２）。
【００９０】
そして、放射線検診スケジュール生成システム６Ａでは、詳細スケジュールＳＭ，ＳＤ，ＳＣを生成する時刻であるかどうかを判定する（Ｓ３）。スケジューリング対象の検診（オーダ）を実行する３日前の午後１１時をこの時刻とする。このように、オーダが設定されたら直ちに詳細スケジュールＳＭ，ＳＤ，ＳＣを生成するのでなく、そのオーダの検診の３日前に生成するのは、被検診者のキャンセル等に対応するためであり、キャンセル等によって生成した詳細スケジュールＳＭ，ＳＤ，ＳＣが無駄になるのを防ぐためである。そして、放射線検診スケジュール生成システム６Ａでは、その生成時刻と判定した場合にはステップＳ４の処理に移行し、生成時刻でない場合にはステップＳ１の処理に戻る。
【００９１】
生成時刻になると、放射線検診スケジュール生成システム６Ａでは、オーダ記憶装置６ｄに格納されているオーダスケジュールＳＯ（図１２参照）と資源情報記憶装置６ｅに格納されている各サイト２Ａ、３Ａ，４Ａの資源の情報に基づいて各サイト２Ａ，３Ａ，４Ａの詳細スケジュールＳＭ，ＳＤ，ＳＣを生成し（Ｓ４）、詳細スケジュール記憶装置６ｆに格納する。
【００９２】
続いて、放射線検診スケジュール生成システム６Ａでは、生成した詳細スケジュールＳＭ，ＳＤ，ＳＣを各サイト２Ａ，３Ａ，４Ａに送信する（Ｓ５）。さらに、放射線検診スケジュール生成システム６Ａでは、各サイト２Ａ，３Ａ，４Ａに送信した詳細スケジュール２Ａ，３Ａ，４Ａの送信回数の情報（課金の情報）を更新し、この送信回数を課金情報記憶装置６ｇに格納する（Ｓ５）。なお、放射線検診スケジュール生成システム６Ａでは、一定期間毎（例えば、一ヶ月毎）に、各タスク２Ａ、３Ａ，４Ａの送信回数に基づいて各タスク２Ａ，３Ａ，４Ａに提供した詳細スケジュールＳＭ，ＳＤ，ＳＣに対するサービス代金を算出する。そして、スケジューリングサービス提供サイト５Ａでは、各タスク２Ａ，３Ａ，４Ａに対して請求し、そのサービス代金を徴収する。
【００９３】
薬剤製造サイト２Ａでは、製造詳細スケジュールＳＭを受信すると、詳細スケジュール記憶装置２ｅに格納する。そして、薬剤製造サイト２Ａでは、製造詳細スケジュールＳＭに従って、薬剤製造装置２ａ，２ｂを決められた時刻に稼動し、決められた量と種類の薬剤Ｍを製造する（Ｓ６）。
【００９４】
配送サイト３Ａでは、配送詳細スケジュールＳＤを受信すると、詳細スケジュール記憶装置３ｅに格納する。そして、配送サイト３Ａでは、配送詳細スケジュールＳＤに従って、決められた時刻に決められた量と種類の薬剤Ｍを薬剤製造サイト２Ａで受け取り、配送用車両３ａで決められ検診サイト４Ａに決められた時刻までに配送する（Ｓ７）。
【００９５】
検診サイト４Ａでは、検診詳細スケジュールＳＣを受信すると、詳細スケジュール記憶装置４ｅに格納する。そして、検診サイト４Ａでは、検診詳細スケジュールＳＣに従って、検診予約を行っている被検診者に対して、決められた時刻に決められた量と種類の薬剤Ｍを用いて、決められた検診装置４ａ，４ｂ，４ｃを使用して検診を行う（Ｓ８）。
【００９６】
この放射線検診システム１Ａによれば、各サイト２Ａ，３Ａ，４Ａの主要資源の稼動予定に基づいて作成したジョブスケジュールＳＪに基づいて検診予約を受け付け、決定したオーダスケジュールＳＯと各サイト２Ａ，３Ａ，４Ａの資源の情報とに基づいて詳細スケジュールＳＭ，ＳＤ，ＳＣを生成しているので、各サイト２Ａ，３Ａ，４Ａにおいて各装置を効率的に稼動できるとともに従事者を効率的に配置できる。そのため、この放射線検診システム１Ａでは、システム全体が非常に効率的に稼動し、少ない設備投資で多くの検診を行うことができる。
【００９７】
次に、図１乃至図９を参照して、放射線検診スケジュール生成システム６Ａでの検診サイト４Ａ（検診情報入出力装置４ｈ）との検診の予約処理を図１１のフローチャートに沿って説明する。ここでは、図１０のフローチャートにおけるステップＳ１で検診予約要求ＱＲを受信後、ステップＳ２での処理を詳細に説明する。図１１は、放射線検診スケジュール生成システム１Ａにおける予約管理時の処理の流れを示すフローチャートである。
【００９８】
検診予約要求ＱＲを受信すると、予約管理装置６ａでは、検診予約要求ＱＲから検診サイト、検診種別、被検診者ＩＤおよび検診希望日時のデータを読み込む（Ｓ１１）。
【００９９】
続いて、予約管理装置６ａでは、検診希望日時のデータに基づき、ジョブ記憶装置６ｃに格納されているジョブスケジュールＳＪを読み込む（Ｓ１２）。例えば、図１１の左上に示すジョブスケジュールＳＪを読み込む。
【０１００】
そして、予約管理装置６ａでは、読み込んだジョブスケジュールＳＪを検索し、検診希望時刻および検診サイトに適合するジョブを抽出する（Ｓ１３）。例えば、要求された検診サイトがＡ検診サイトで、検診希望日時が２００１年６月１４日午前８時の場合、図１１の左上に示すジョブスケジュールＳＪから、まず、Ａ検診サイトの撮像装置を使用するオペレーションＣ１，Ｃ２のジョブＪ１，Ｊ２，Ｊ４，Ｊ５を抽出し、さらに、２００１年６月１４日午前８時に検診を開始できるオペレーションＣ１，Ｃ２の開始時刻変更可能範囲ＴＷ内となるジョブＪ１，Ｊ２を抽出する。なお、検診希望時刻が開始時刻変更可能範囲ＴＷの最早開始時刻に可能な限り近くになるようなジョブを抽出する。というのは、薬剤Ｍを製造してから検診するまでの時間を可能な限り短縮することによって、製造する薬剤Ｍ（核種）の量を少なくできるからである。
【０１０１】
予約管理装置６ａでは、ステップＳ１３で検診希望日時および検診サイトに適合するジョブを抽出できたか否かを判定する（Ｓ１４）。そして、予約管理装置６ａでは、抽出できなかった場合にはステップＳ１５の処理に移行し、抽出できた場合にはステップＳ１６の処理に移行する。
【０１０２】
抽出できなかった場合、予約管理装置６ａでは、検診希望日時を前または後に少し（例えば、３０分前または３０分後に）変更し、ステップＳ１３の処理に移行する（Ｓ１５）。そして、予約管理装置６ａでは、ジョブを抽出できるまで、ステップＳ１３〜ステップＳ１５の処理を繰り返し実行する。
【０１０３】
抽出できた場合、予約管理装置６ａでは、抽出したジョブの撮像に関するオペレーションの検診開始日時として検診希望日時を設定する（Ｓ１６）。
【０１０４】
続いて、予約管理装置６ａでは、設定したオベレーションの検診開始日時に基づいて製造する薬剤Ｍおよび核種の量を前記した式（３）および式（４）により算出する（Ｓ１７）。
【０１０５】
そして、予約管理装置６ａでは、抽出したジョブの撮像に関するオペレーションの検診開始日時とオペレーションで使用する撮像装置のデータを予約結果ＲＲに設定し、検診予約要求ＱＲを送信した検診サイト４Ａに送信する（Ｓ１８）。
【０１０６】
送信後、予約管理装置６ａでは、検診サイト４Ａからの応答を待つ。そして、予約管理装置６ａでは、検診サイト４Ａから応答を受信し、その応答の内容（クリックされたボタンの情報）を読み込む（Ｓ１９）。
【０１０７】
続いて、予約管理装置６ａでは、応答の内容を判定する（Ｓ２０）。そして、予約管理装置６ａでは、応答の内容が変更ボタンの場合にはステップＳ１１に戻り、登録ボタンの場合にはステップＳ２１に移行し、終了ボタンの場合には処理を終了する。
【０１０８】
応答の内容が登録ボタンの場合、予約管理装置６ａでは、撮像に関するオペレーションの検診開始日時をステップＳ１６で設定した日時に変更したジョブをオーダとし、そのオーダおよび検診予約要求ＱＲと予約結果ＲＲの情報をオーダ記憶装置６ｄに格納する（Ｓ２１）。さらに、予約管理装置６ａでは、抽出したジョブをジョブスケジュールＳＪから削除し、このジョブスケジュールＳＪをジョブ記憶装置６ｃに再格納する。これにより、同一のジョブが複数回割り付けられるのを防止する。図１１の例では、左上図のジョブスケジュールＳＪからジョブＪ１が抽出され、左中図においてこのジョブＪ１の検診開始日時が午前８時に変更されてオーダＯＲ１として設定され、左下図のジョブスケジュールＳＪではジョブＪ１が削除されている。
【０１０９】
次に、図１乃至図９を参照して、放射線検診スケジュール生成システム６Ａでのサイト２Ａ，３Ａ．４Ａ毎の詳細スケジュールＳＭ，ＳＤ，ＳＣを生成する処理を図１２のフローチャートに沿って説明する。ここでは、図１０のフローチャートにおけるステップＳ３での詳細スケジュール生成時刻後のステップＳ４での処理を詳細に説明する。図１１は、放射線検診スケジュール生成システム６Ａにおける詳細スケジュール生成時の処理の流れを示すフローチャートである。
【０１１０】
放射線検診スケジュール生成システム６Ａでは、詳細スケジュールＳＭ，ＳＤ，ＳＣを生成するサイト（対象サイト）２Ａ，３Ａ，４Ａに関連するオペレーションをオーダ記憶装置６ｄから読み込む（Ｓ３１）。つまり、オーダ記憶装置６ｄに格納しているオーダスケジュールＳＯの情報から、詳細スケジュールＳＭ，ＳＤ，ＳＣの生成対象日（３日後）の各オーダＯＲ１，・・・を抽出し、さらに抽出したオーダＯＲ１，・・・を構成するオペレーションのうち、対象サイト２Ａ，３Ａ，４Ａに関するものを各々抽出する。図１２の左上図のオーダスケジュールＳＯでは、検診サイト４Ａを対象サイトとした場合におけるオーダＯＲ１，ＯＲ２，ＯＲ４，ＯＲ５から抽出する詳細化対象のオペレーションＣ１，Ｃ２の例を示している。
【０１１１】
続いて、放射線検診スケジュール生成システム６Ａでは、資源情報記憶装置６ｅに格納しているオペレーションを構成するタスクの情報に基づいて、ステップＳ３１で抽出した各オペレーションをタスクに展開する（Ｓ３２）。つまり、タスク展開スケジュールＳＴを生成する。図１２の左中図のタスク展開スケジュールＳＴでは、オーダスケジュールＳＯに示した検診サイト（対象サイト）４ＡのオペレーションＣ１，Ｃ２をタスクＴ１，Ｔ２，Ｔ３に展開した例を示している。
【０１１２】
そして、放射線検診スケジュール生成システム６Ａでは、資源情報記憶装置６ｅに格納している対象サイト２Ａ，３Ａ，４Ａの資源の情報に基づいて各タスクに対して資源の割り付けを行う（Ｓ３３）。
【０１１３】
さらに、放射線検診スケジュール生成システム６Ａでは、各タスクに割り付けた資源の情報を資源毎に整理し、資源毎の処理するタスク（オーダ）に対して時系列の情報を生成する（Ｓ３４）。つまり、詳細スケジュール２Ａ，３Ａ，４Ａを生成する。なお、図１３の左下図のＡ検診サイトの詳細スケジュールＳＣには、生成された資源毎の処理タスクを時間軸上に、オーダＯＲ１，ＯＲ２，ＯＲ４，ＯＲ５別に展開した例を示している。なお、オーダを構成するオペレーションのうちタスク展開スケジュールを生成しないオペレーションについては、そのオペレーションから詳細スケジュールを直接生成する。薬剤製造サイト２Ａや配送サイト３Ａでは、一つのオペレーションに対して装置２ａ，２ｂや配送用車両３ａによる一つのタスクとなるので、タスク展開スケジュールを生成しない場合がある。
【０１１４】
そして、放射線検診スケジュール生成システム６Ａでは、ステップＳ３４で生成した資源毎の処理タスクの時間軸上での展開結果（つまり、詳細スケジュールＳＭ，ＳＤ，ＳＣ）を評価し、その実行の可否を判定する（Ｓ３５）。本実施の形態においては、ある資源において、同一の時刻に複数のタスクを処理する詳細スケジュールＳＭ，ＳＤ，ＳＣが生成された場合に、実行不可能なスケジュールであると判定する。
【０１１５】
放射線検診スケジュール生成システム６Ａでは、ステップＳ３５での実行可否の評価結果に応じて、実行不可能の場合にはステップＳ３７に移行し、実行可能の場合にはステップＳ３８に移行する（Ｓ３６）。
【０１１６】
実行不可能な場合、放射線検診スケジュール生成システム６Ａでは、実行不可能な詳細スケジュールＳＭ，ＳＤ，ＳＣに対して、タスクへの資源の割り付けの変更を行う（Ｓ３７）。この変更は、予め定めた変更ルールに従って処理する。本実施の形態においては、実行可能な詳細スケジュールＳＭ，ＳＤ，ＳＣが生成されるまで、ステップＳ３４からステップＳ３７の処理を繰り返す。
【０１１７】
実行可能な場合、放射線検診スケジュール生成システム６Ａでは、生成した詳細スケジュール２Ａ，３Ａ，４Ａを詳細スケジュール記憶装置６ｆに格納する（Ｓ３８）。放射線検診スケジュール生成システム６Ａでは、以上のステップＳ３１からステップＳ３８の処理を、スケジュールの生成対象である全てのサイト２Ａ，３Ａ，４Ａに対して行うことにより詳細スケジュールＳＭ，ＳＤ，ＳＣを生成する。
【０１１８】
次に、図１乃至図９を参照して、放射線検診システム１Ａにおける各サイト２Ａ，３Ａ，４Ａ，５Ａ間の情報（データ）、薬剤Ｍおよびお金の流れを図１３のフローに沿って説明する。図１３は、放射線検診システム１Ａにおける各サイト２Ａ，３Ａ，４Ａ，５Ａ間の情報（データ）、薬剤Ｍおよびお金の流れを示すフロー図である。
【０１１９】
まず、検診サイト４Ａが、スケジューリングサービス提供サイト５Ａに対して検診の予約要求を行う（Ｍ１）。この検診予約要求ＱＲにより、検診サイト４Ａにて被検診者の検査の実施を希望する日時の情報をスケジューリングサービス提供サイト５Ａに提供する。
【０１２０】
スケジューリングサービス提供サイト５Ａでは、検診予約要求ＱＲにより検診サイト４Ａにて実際に検診が可能な日時を決定し、この結果を予約結果ＲＲとして検診サイト４Ａに送信する（Ｍ２）。
【０１２１】
検診サイト４Ａでは、この予約結果ＲＲに基づいて実際に予約を行うかどうかの判断を行い、その結果をスケジューリングサービス提供サイト５Ａに送信する（Ｍ３）。スケジューリングサービス提供サイト５Ａでは、この検診予約の確認に基づいて、実際に予約する場合には予約をオーダとして登録する。以上のＭ１乃至Ｍ３は、検診サイト４Ａとスケジューリングサービス提供サイト５Ａとが、予約を行うたびに繰り返す。
【０１２２】
次に、スケジューリングサービス提供サイト５Ａでは、予め定められた時刻になると、登録されたオーダに基づき各サイト２Ａ，３Ａ，４Ａで使用する詳細スケジュールＳＭ，ＳＤ，ＳＣを生成する（Ｍ４）。そして、スケジューリングサービス提供サイト５Ａでは、生成した詳細スケジュールＳＭ，ＳＤ，ＳＣを各サイト２Ａ，３Ａ，４Ａに各々送信する（Ｍ５，Ｍ６，Ｍ７）。このとき、スケジューリングサービス提供サイト５Ａでは、サイト２Ａ，３Ａ，４Ａ毎に詳細スケジュールＳＭ，ＳＤ，ＳＣを送信した回数を記録する。
【０１２３】
薬剤製造サイト２Ａでは、製造詳細スケジュールＳＭに従って薬剤Ｍを製造する（Ｍ８）。薬剤製造サイト２Ａでは、これを配送サイト３Ａに対して発送する（Ｍ９）。なお、薬剤製造サイト２Ａが発送するのではなく、配送サイト３Ａが薬剤製造サイト２Ａまで受け取りに行ってもよい。
【０１２４】
続いて、配送サイト３Ａでは、配送詳細スケジュールＳＤに従って薬剤Ｍを検診サイト４Ａに配送する（Ｍ１０）。
【０１２５】
そして、検診サイト４Ａでは、検診詳細スケジュールＭ１１に基づいて被検診者に対して放射線検診を実行する（Ｍ１１）。
【０１２６】
また、スケジューリングサービス提供サイト５Ａでは、検診詳細スケジュールＳＭを送信した回数に基づいて検診スケジュール供給契約に係わる代金を算出し、これを検診サイト４Ａに対し請求する（Ｍ１２）。検診サイト４Ａでは、この請求に対する代金をスケジューリングサービス提供サイト５Ａに対して支払う（Ｍ１３）。
【０１２７】
同様に、スケジューリングサービス提供サイト５Ａでは、配送詳細スケジュールＳＤを送信した回数に基づいて配送スケジュール供給契約に係わる代金を算出し、これを配送サイト３Ａに対し請求する（Ｍ１４）。配送サイト３Ａでは、この請求に対する代金をスケジューリングサービス提供サイト５Ａに対して支払う（Ｍ１５）。
【０１２８】
さらに、スケジューリングサービス提供サイト５Ａでは、製造詳細スケジュールＳＣを送信した回数に基づいて製造スケジュール供給契約に係わる代金を算出し、これを薬剤製造サイト２Ａに対し請求する（Ｍ１６）。薬剤製造サイト２Ａでは、この請求に対する代金をスケジューリングサービス提供サイト５Ａに対して支払う（Ｍ１７）。
【０１２９】
この第１の実施の形態に係る放射線検診システム１Ａによれば、スケジューリングサービス提供サイト５Ａにおいてジョブ記憶装置６ｃに薬剤Ｍの製造に関する装置の稼動予定に基づくジョブスケジュールＳＪを保持しているので、このジョブスケジュールＳＪに基づいて各検診サイト４Ａからの検診予約要求ＱＲに対して検診を行う日時や製造する薬剤Ｍや核種の量を決定することが可能である。このジョブスケジュールＳＪは薬剤製造サイト２Ａ、配送サイト３Ａ、検診サイト４Ａの各主要装置の稼動効率を考慮した上で予め作成しているので、放射線検診に係わる各装置を総合的な観点から稼働率に運用することができる詳細スケジュールＳＭ、ＳＤ，ＳＣを生成することができる。
【０１３０】
つまり、各検診サイトが独自に要求する日時に指定された種類の薬剤Ｍを指定された量供給する従来の放射線検診システムにおいては、各検診サイトからの要求によっては薬剤製造サイトや配送サイトの各装置の能力を上回ったりあるいは稼働率が悪化するといった不都合が発生する恐れがあり、これを事前に察知するのが困難であった。しかし、放射線検診システム１Ａでは、システムを構成する全てのサイト２Ａ、３Ａ，４Ａの資源の情報を考慮しているので、このような不都合を事前に回避することが可能である。したがって、放射線検診システム１Ａによれば、各サイト２Ａ，３Ａ，４Ａの装置を効率的に運用でき、高額な設備投資を必要とする薬剤製造装置２ａ，２ｂや撮像装置４ｃの台数を必要最低限とした上で、より多くの被検診者の検診を実行できる。したがって、放射線検診システム１Ａでは、各サイト２Ａ，３Ａ，４Ａにおける装置に対して少ない設備投資で、多くの被検診者の検診を実現することができ、より多くの収益をあげることが可能である。
【０１３１】
次に、第２の実施の形態について説明する。
第２の実施の形態に係る放射線検診システム１Ｂは、第１の実施の形態に係る放射線検診システム１Ａを基本としており、いくつかの機能が更に加わる（図１、図１４参照）。その機能としては、各サイト２Ｂ，３Ｂ，４Ｂから装置の稼動予定の情報を一定周期でオンラインにて収集し、この稼動予定の情報に基づいて短周期でジョブスケジュールＳＪを作成する機能、および各サイト２Ｂ，３Ｂ，４Ｂから装置の稼動実績のデータを所定周期でオンラインにて収集し、この稼動実績のデータに基づいて詳細スケジュールＳＭ，ＳＤ，ＳＣを再生成する機能である（図１４参照）。第２の実施の形態では、これら機能によって、より柔軟な詳細スケジュールＳＭ，ＳＤ，ＳＣを作成する。なお、第２の実施の形態では、第１の実施の形態と同様の構成については同一の符号を付し、その詳細な説明を省略する。
【０１３２】
図１４を参照して、第２の実施の形態に係る放射線検診システム１Ｂの構成を説明する。図１４は、第２の実施の形態に係る放射線検診システム１Ｂの全体構成図である。
【０１３３】
放射線検診システム１Ｂは、薬剤Ｍの製造からその薬剤Ｍを用いた放射線検診までを行うシステムであり、このシステムを効率的に稼動させるために薬剤Ｍの製造からその薬剤Ｍを用いた放射線検診までの詳細なスケジュールを生成するシステムである。そのために、放射線検診システム１Ｂは、薬剤製造サイト２Ｂ、配送サイト３Ｂ，多数の検診サイト４Ｂおよびスケジューリングサービス提供サイト５Ｂから構成される。特に、スケジューリングサービス提供サイト５Ｂには、放射線検診スケジュール生成システム６Ｂが構築される。
【０１３４】
放射線検診システム１Ｂでは、スケジューリングサービス提供サイト５Ｂと薬剤製造サイト２Ｂ、配送サイト３Ｂおよび多数の検診サイト４Ｂとの間が公衆電話回線、インターネットあるいは専用回線等の通信回線により接続されており、この通信回線を介して情報を送受信している。そして、放射線検診システム１Ｂでは、スケジューリングサービス提供サイト５Ｂにおいて各サイトの装置や従事者に対するスケジュールを生成し、このスケジュールに基づいて薬剤製造サイト２Ｂで薬剤Ｍを製造し、配送サイト３Ｂが製造した薬剤Ｍを検診サイト４Ｂまで配送し、検診サイト４Ｂで配送された薬剤Ｍを用いて被検診者に対して放射線検診を行っている。
【０１３５】
図１４を参照して、薬剤製造サイト２Ｂについて説明する。
薬剤製造サイト２Ｂは、薬剤製造メーカであり、独立した事業者によって運営されている。薬剤製造サイト２Ｂでは、スケジューリングサービス提供サイト５Ｂからの製造詳細スケジュールＳＭに従って薬剤Ｍを製造している。また、薬剤製造サイト２Ｂでは、スケジューリングサービス提供サイト５Ｂにおいて製造詳細スケジュールＳＭを生成するために、スケジューリングサービス提供サイト５Ｂに資源（薬剤製造装置、従事者）の情報および一定周期毎に主要資源（核種製造装置、薬剤合成装置）の稼動予定の情報（以下、「薬剤製造装置稼動予定ＰＭ」と記載する）ならびに所定周期毎に薬剤製造装置２ａ，２ｂの稼動実績のデータ（以下、「稼動実績データＤＭ」と記載する）を提供している。
なお、本実施の形態では、薬剤製造装置稼動予定ＰＭが特許請求の範囲に記載する稼動予定の情報の一つに相当し、稼動実績データＤＭが特許請求の範囲に記載する稼動実績の情報の一つに相当する。
【０１３６】
なお、薬剤製造サイト２Ｂでは、スケジューリングサービス提供サイト５Ｂと薬剤代金回収サービス付き製造スケジュール供給契約を結んでおり、スケジューリングサービス提供サイト５Ｂから提供された製造詳細スケジュールＳＭに従って製造した薬剤Ｍに係わる代金が支払われる。この代金は、スケジューリングサービス提供サイト５Ｂから提供された製造詳細スケジュールＳＭに対しての対価が差し引かれている。また、この代金は、予め定める製造詳細スケジュールＳＭの一回送信毎の単価および薬剤Ｍの種類別の製造単価に基づき算出される。ただし、薬剤製造サイト２Ｂが製造詳細スケジュールＳＭに従って薬剤Ｍの製造ができなかった場合には、その遅延の度合いに応じて予め定めるペナルティ（罰金）を薬剤製造サイト２Ｂがスケジューリングサービス提供サイト５Ｂに対して支払う。
【０１３７】
薬剤製造サイト２Ｂは、スケジューリング提供サイト５Ｂの放射線検診スケジュール生成システム６Ｂからの製造詳細スケジュールＳＭに従って核種製造装置２ａ、薬剤合成装置２ｂやオペレータ（従事者）を管理するためおよび薬剤製造装置稼動予定ＰＭと稼動実績データＤＭをスケジューリング提供サイト５Ｂに送信するために、スケジュール管理装置２ｏ、詳細スケジュール記憶装置２ｅおよび装置稼動予定記憶装置２ｐを備えている。
なお、第２の実施の形態では、スケジュール管理装置２ｏが特許請求の範囲に記載する管理手段および提供手段の一つに相当する。
【０１３８】
スケジュール管理装置２ｏ、詳細スケジュール記憶装置２ｅおよび装置稼動予定記憶装置２ｐは、薬剤製造サイト用スケジュール管理ソフトウエアによってパソコン（図示せず）に構成される。また、このパソコンは、放射線検診スケジュール生成システム６Ｂと情報を送受信するために通信制御装置（図示せず）を備えており、特に、インターネットで情報を送受信する場合にはＷＷＷブラウザを備えている。通信制御装置は、モデム、ＤＳＵ等から構成されている。
【０１３９】
スケジュール管理装置２ｏについて説明する。
スケジュール管理装置２ｏは、パソコンの主制御装置（図示せず）に構成され、核種製造装置２ａおよび薬剤合成装置２ｂと通信ケーブルにより接続している。スケジュール管理装置２ｏは、第１の実施の形態に係るスケジュール管理装置２ｄの機能に加えて（図１参照）、以下の機能を備えている。スケジュール管理装置２ｏは、一定期間分（例えば、一週間分）の各薬剤製造装置２ａ，２ｂの稼動予定（すなわち、薬剤製造装置稼動予定ＰＭ）を作成し、装置稼動予定記憶装置２ｐに格納する。そして、スケジュール管理装置２ｏは、一定周期毎（例えば、毎週土曜日の午後１１時毎）に薬剤製造装置稼動予定ＰＭを放射線検診スケジュール生成システム６Ｂに送信する。稼動予定は、各装置２ａ，２ｂの稼動できる日、各稼動日において稼動できる開始時刻と終了時刻およびメンテナンス等で稼動できない日時等である。また、スケジュール管理装置２ｏは、製造詳細スケジュールＳＭの各タスクにおいて実際にそのタスクを実行したときの各薬剤製造装置２ａ，２の開始時刻と終了時刻および稼動状況の情報からなる稼動実績（すなわち、稼動実績データＤＭ）を作成し、所定周期毎（例えば、製造詳細スケジュールＳＭの各オペレーションあるいは各タスクの終了毎）に稼動実績データＤＭを放射線検診スケジュール生成システム６Ｂに送信する。稼動状況とは、各薬剤製造装置２ａ，２ｂが予定通り運転しているかあるいは故障等により予定外の停止を行っているか等の情報である。
【０１４０】
装置稼動予定記憶装置２ｐについて説明する。
装置稼動予定記憶装置２ｐは、パソコンの記憶装置（ハードディスク等）に構成される。装置稼動予定記憶装置２ｐには、スケジュール管理装置２ｏによって薬剤製造装置稼動予定ＰＭが格納される。
【０１４１】
図１４を参照して、配送サイト３Ｂについて説明する。
配送サイト３Ｂは、運送会社であり、独立した事業者によって運営されている。配送サイト３Ｂでは、スケジューリングサービス提供サイト５Ｂからの配送詳細スケジュールＳＤに従って薬剤Ｍを配送している。また、配送サイト３Ｂでは、スケジューリングサービス提供サイト５Ｂにおいて配送詳細スケジュールＳＤを生成するために、スケジューリングサービス提供サイト５Ｂに資源（配送用車両、従事者）の情報および一定周期毎に主要資源（配送用車両）の稼動予定の情報（以下、「配送装置稼動予定ＰＤ」と記載する）ならびに所定周期毎に配送用車両３ａの稼動実績のデータ（以下、「稼動実績データＤＤ」と記載する）を提供している。
なお、本実施の形態では、配送装置稼動予定ＰＤが特許請求の範囲に記載する稼動予定の情報の一つに相当し、稼動実績データＤＤが特許請求の範囲に記載する稼動実績の情報の一つに相当する。
【０１４２】
なお、配送サイト３Ｂでは、スケジューリングサービス提供サイト５Ｂと配送代金回収サービス付き配送スケジュール供給契約を結んでおり、スケジューリングサービス提供サイト５Ｂから提供された配送詳細スケジュールＳＤに従って行った配送に係わる代金が支払われる。この代金は、スケジューリングサービス提供サイト５Ｂから提供された配送詳細スケジュールＳＤに対しての対価が差し引かれている。また、この代金は、予め定める配送詳細スケジュールＳＤの一回送信毎の単価および配送距離別の配送単価に基づき算出される。ただし、配送サイト３Ｂが配送スケジュールＳＤに従って配送ができなかった場合には、その遅延の度合いに応じて予め定めるペナルティ（罰金）を配送サイト３Ｂがスケジューリングサービス提供サイト５Ｂに対して支払う。
【０１４３】
配送サイト３Ｂは、スケジューリング提供サイト５Ｂの放射線検診スケジュール生成システム６Ｂからの配送スケジュールＳＤに従って配送用車両３ａや配送者を管理するためおよび配送装置稼動予定ＰＤと稼動実績データＤＤをスケジューリング提供サイト５Ｂに送信するために、スケジュール管理装置３ｏ、詳細スケジュール記憶装置３ｅおよび装置稼動予定記憶装置３ｐを備えている。
なお、第２の実施の形態では、スケジュール管理装置３ｏが特許請求の範囲に記載する管理手段および提供手段の一つに相当する。
【０１４４】
スケジュール管理装置３ｏ、詳細スケジュール記憶装置３ｅおよび装置稼動予定記憶装置３ｐは、配送サイト用スケジュール管理ソフトウエアによってパソコン（図示せず）に構成される。また、このパソコンは、放射線検診スケジュール生成システム６Ｂと情報を送受信するために通信制御装置（図示せず）を備えており、特に、インターネットで情報を送受信する場合にはＷＷＷブラウザを備えている。通信制御装置は、モデム、ＤＳＵ等から構成されている。
【０１４５】
スケジュール管理装置３ｏについて説明する。
スケジュール管理装置３ｏは、パソコンの主制御装置（図示せず）に構成され、配送用車両３ａと移動電話回線を介して通信可能である。スケジュール管理装置３ｏは、第１の実施の形態に係るスケジュール管理装置３ｄの機能に加えて（図１参照）、以下の機能を備えている。スケジュール管理装置３ｏは、一定期間分（例えば、一週間分）の各配送用車両３ａの稼動予定（すなわち、配送装置稼動予定ＰＤ）を作成し、装置稼動予定記憶装置３ｐに格納する。そして、スケジュール管理装置３ｏは、一定周期毎（例えば、毎週土曜日の午後１１時毎）に配送装置稼動予定ＰＤを放射線検診スケジュール生成システム６Ｂに送信する。稼動予定は、各配送用車両３ａの稼動できる日、各稼動日において稼動できる開始時刻と終了時刻および車検や整備等で稼動できない日時等である。また、スケジュール管理装置３ｏは、配送スケジュールＳＤの各タスクにおいて実際にそのタスクを実行したときの各配送用車両３ａの開始時刻と終了時刻および稼動状況の情報からなる稼動実績（すなわち、稼動実績データＤＤ）を作成し、所定周期毎（例えば、配送詳細スケジュールＳＤの各オペレーションあるいは各タスクの終了毎）に稼動実績データＤＤを放射線検診スケジュール生成システム６Ｂに送信する。稼動状況とは、各配送用車両３ａが予定通り配送しているかあるいは渋滞等により予定外の時間を要しているか等の情報である。
【０１４６】
装置稼動予定記憶装置３ｐについて説明する。
装置稼動予定記憶装置３ｐは、パソコンの記憶装置（ハードディスク等）に構成される。装置稼動予定記憶装置３ｐには、スケジュール管理装置３ｏによって配送装置稼動予定ＰＤが格納される。
【０１４７】
図１４を参照して、検診サイト４Ｂについて説明する。
検診サイト４Ｂは、検診施設（例えば、病院）であり、独立した事業者によって運営されている。検診サイト４Ｂでは、スケジューリングサービス提供サイト５Ｂからの検診詳細スケジュールＳＣに従って放射線検診を行っている。また、検診サイト４Ｂでは、スケジューリングサービス提供サイト５Ｂにおいて検診詳細スケジュールＳＣを生成するために、スケジューリングサービス提供サイト５Ｂに資源（検診装置、従事者）の情報および一定周期毎に主要資源（撮像装置）の稼動予定の情報（以下、「検診装置稼動予定ＰＣ」と記載する）ならびに所定周期毎に各検診装置４ａ，４ｂ，４ｃの稼動実績のデータ（以下、「稼動実績データＤＣ」と記載する）を提供している。
なお、本実施の形態では、検診装置稼動予定ＰＣが特許請求の範囲に記載する稼動予定の情報の一つに相当し、稼動実績データＤＣが特許請求の範囲に記載する稼動実績の情報の一つに相当する。
【０１４８】
なお、検診サイト４Ｂでは、スケジューリングサービス提供サイト５Ｂと遅延保証付きスケジュール供給契約を結んでおり、スケジューリングサービス提供サイト５Ｂから提供された検診詳細スケジュールＳＣおよび配送された薬剤Ｍの代金を支払う。この代金は、予め定める検診詳細スケジュールＳＣの一回送信毎の単価および薬剤Ｍの種類別の単価に基づき算出される。ただし、薬剤が必要時間に必要量配送されなかった場合には、これらの代金の割引を行う。なお、契約した検診サイト４Ａ内のスケジュールの遅延が原因で、薬剤Ｍの配送に関する不都合が生じた場合には、割引の対象とはしない。また、検診サイト４Ｂが配送スケジュールＳＣに従って検診ができなかった場合には、その遅延の度合いに応じて予め定めるペナルティ（罰金）を検診サイト４Ｂがスケジューリングサービス提供サイト４Ｂに対して支払う。
【０１４９】
検診サイト４Ｂは、スケジューリング提供サイト５Ｂの放射線検診スケジュール生成システム６Ｂからの検診スケジュールＳＣに従って検診装置４ａ，４ｂ，４ｃや従事者（医師、看護婦、技師）を管理するためおよび検診装置稼動予定ＰＣと稼動実績データＤＣをスケジューリング提供サイト５Ｂに送信するために、スケジュール管理装置４ｏ、詳細スケジュール記憶装置４ｅ、検診情報入出力装置４ｈおよび装置稼動予定記憶装置４ｐを備えている。
なお、第２の実施の形態では、スケジュール管理装置４ｏが特許請求の範囲に記載する管理手段および提供手段の一つに相当する。
【０１５０】
スケジュール管理装置４ｏ、詳細スケジュール記憶装置４ｅ、検診情報入出力装置４ｈおよび装置稼動予定記憶装置４ｐは、検診サイト用スケジュール管理ソフトウエアによってパソコン（図示せず）に構成される。また、このパソコンは、放射線検診スケジュール生成システム６Ｂと情報を送受信するために通信制御装置（図示せず）を備えており、特に、インターネットで情報を送受信する場合にはＷＷＷブラウザを備えている。通信制御装置は、モデム、ＤＳＵ等から構成されている。
【０１５１】
スケジュール管理装置４ｏについて説明する。
スケジュール管理装置４ｏは、パソコンの主制御装置（図示せず）に構成され、撮像装置４ｃと通信ケーブルにより接続している。スケジュール管理装置４ｏは、第１の実施の形態に係るスケジュール管理装置４ｄの機能に加えて（図１参照）、以下の機能を備えている。スケジュール管理装置４ｏは、一定期間分（例えば、一週間分）の各撮像装置４ｃの稼動予定（すなわち、検診装置稼動予定ＰＣ）を作成し、装置稼動予定記憶装置４ｐに格納する。そして、スケジュール管理装置４ｏは、一定周期毎（例えば、毎週土曜日の午後１１時毎）に検診装置稼動予定ＰＣを放射線検診スケジュール生成システム６Ｂに送信する。稼動予定は、各撮像装置４ｃの稼動できる日、各稼動日において稼動できる開始時刻と終了時刻およびメンテナンス等で稼動できない日時等である。また、スケジュール管理装置４ｏは、検診スケジュールＳＣの各タスクにおいて実際にそのタスクを実行したときの各検診装置４ａ，４ｂ，４ｃの開始時刻と終了時刻および稼動状況の情報からなる稼動実績（すなわち、稼動実績データＤＣ）を作成し、所定周期毎（例えば、検診詳細スケジュールＳＣの各オペレーションあるいは各タスクの終了毎）に稼動実績データＤＣを放射線検診スケジュール生成システム６Ｂに送信する。稼動状況とは、各検診装置４ａ，４ｂ，４ｃが予定通り稼動しているかあるいは故障等により予定外の停止を行っているか等の情報である。
【０１５２】
装置稼動予定記憶装置４ｐについて説明する。
装置稼動予定記憶装置４ｐは、パソコンの記憶装置（ハードディスク等）に構成される。装置稼動予定記憶装置４ｐには、スケジュール管理装置４ｏによって検診装置稼動予定ＰＣが格納される。
【０１５３】
図１４を参照して、スケジューリングサービス提供サイト５Ｂについて説明する。
スケジューリングサービス提供サイト５Ｂは、スケジューリングサービス会社であり、独立した事業者によって運営されている。スケジューリングサービス提供サイト５Ｂでは、薬剤製造サイト２Ｂ、配送サイト３Ｂおよび検診サイト４Ｂからの稼動予定情報ＰＭ，ＰＤ，ＰＣと検診サイト４Ｂからの検診予約の要求に基づいて製造詳細スケジュールＳＭ、配送詳細スケジュールＳＤおよび検診詳細スケジュールＳＣを生成し、各詳細スケジュールＳＭ，ＳＤ，ＳＣを各サイト２Ｂ，３Ｂ，４Ｂに送信している。そのため、スケジューリングサービス提供サイト５Ｂでは、検診サイト４Ｂで行う放射線検診の予約管理も行っている。さらに、スケジューリングサービス提供サイト５Ｂでは、薬剤製造サイト２Ｂ、配送サイト３Ｂおよび検診サイト４Ｂからの稼動実績データＤＭ，ＤＤ，ＤＣと詳細スケジュールＳＭ，ＳＤ，ＳＣとに基づいてスケジュールに遅れが発生している場合には製造詳細スケジュールＳＭ、配送詳細スケジュールＳＤおよび検診詳細スケジュールＳＣを再生成し、各詳細スケジュールＳＭ，ＳＤ，ＳＣを各サイト２Ｂ，３Ｂ，４Ｂに再送信している。このような処理を行うために、スケジューリングサービス提供サイト５Ｂには、放射線検診スケジュール生成システム６Ｂが構築されている。なお、スケジューリングサービス提供サイト５Ｂでは、各サイト２Ｂ，３Ｂ，４Ｂと各スケジュール供給契約を結んでおり、各サイト２Ｂ，３Ｂ，４Ｂからの詳細スケジュールＳＭ、ＳＤ，ＳＣに対して支払われる代金および薬剤Ｍの代金管理によって事業を運営している。薬剤Ｍの代金管理では、検診サイト４Ｂから配送した薬剤Ｍの代金を徴収し、薬剤製造サイト３Ｂに薬剤Ｍの製造代金を支払うとともに配送サイト３Ｂに配送代金を支払い、（徴収した薬剤Ｍの代金−（支払った製造代金＋配送代金））がスケジューリングサービス提供サイト５Ｂの管理代金となる。
【０１５４】
放射線検診スケジュール生成システム６Ｂについて説明する。放射線検診スケジュール生成システム６Ｂは、ジョブ生成装置６ｈ、予約管理装置６ａ、詳細スケジュール生成装置６ｉ、稼動予定記憶装置６ｊ、ジョブ記憶装置６ｃ、オーダ記憶装置６ｄ、資源情報記憶装置６ｅ、詳細スケジュール記憶装置６ｆ、課金情報記憶装置６ｇ、稼動実績記憶装置６ｋおよび配送時間記憶装置６ｌを備えている。なお、第２の実施の形態では、ジョブ生成装置６ｈが特許請求の範囲に記載するジョブ生成手段に相当し、詳細スケジュール生成装置６ｉが特許請求の範囲に記載するスケジュール生成手段に相当し、稼動予定記憶装置６ｊが特許請求の範囲に記載する第３記憶手段に相当し、ジョブ記憶装置６ｃが特許請求の範囲に記載する第１記憶手段に相当し、資源情報記憶装置６ｅが特許請求の範囲に記載する第２記憶手段に相当し、課金情報記憶装置６ｇが特許請求の範囲に記載する第４記憶手段に相当し、稼動実績記憶装置６ｋが特許請求の範囲に記載する第５記憶手段に相当する。
【０１５５】
放射線検診スケジュール生成システム６Ｂは、放射線検診スケジュール生成ソフトウエアによってサーバ（図示せず）に構成される。また、このサーバは、各サイト２Ｂ，３Ｂ，４Ｂと情報を送受信するために通信制御装置（図示せず）を備えており、特に、インターネットで情報を送受信する場合にはＷＷＷサーバプログラムを備えている。通信制御装置は、モデム、ＤＳＵ等から構成されている。
【０１５６】
ジョブ生成装置６ｈについて説明する。
ジョブ生成装置６ｈは、サーバの主制御装置（図示せず）に構成されている。ジョブ生成装置６ｈは、各サイト２Ｂ，３Ｂ，４Ｂから受信した薬剤製造装置稼動予定ＰＭ、配送装置稼動予定ＰＤおよび検診装置稼動予定ＰＣを稼動予定記憶装置６ｊに格納する。また、ジョブ生成装置６ｈは、稼動予定記憶装置６ｊに格納されている薬剤製造装置稼動予定ＰＭ、配送装置稼動予定ＰＤおよび検診装置稼動予定ＰＣと配送時間記憶装置６ｌに格納されている配送時間の情報に基づいて、第１の実施の形態で説明した割付可能なジョブＪ１，・・・を生成し、一定期間分（例えば、一週間分）のジョブスケジュールＳＪを作成する（図７参照）。そして、ジョブ生成装置６ｈは、このジョブスケジュールＳＪをジョブ記憶装置６ｃに格納する。配送時間の情報は、薬剤製造サイト２Ｂと各検診サイト４Ａ間における配送用車両３ａによる配送に要した時間の最大値、最小値、平均値を、各曜日の時間帯毎に整理した情報である。つまり、各曜日や時間帯によって渋滞状況等が異なるので、各曜日や時間帯に応じて配送用車両３ａのオペレーションの時間を変えることによって、交通状況に応じた精度の高いジョブＪ１，・・・を生成することができる。
【０１５７】
詳細スケジュール生成装置６ｉについて説明する。
詳細スケジュール生成装置６ｉは、サーバの主制御装置（図示せず）に構成されている。詳細スケジュール生成装置６ｉは、第１の実施の形態に係る詳細スケジュール生成装置６ｂの機能に加えて（図１参照）、以下の機能を備えている。詳細スケジュール生成装置６ｉは、各サイト２Ｂ，３Ｂ，４Ｂから受信した稼動実績データＤＭ，ＤＤ，ＤＣを稼動実績記憶装置６ｋに格納する。そして、詳細スケジュール生成装置６ｉは、各サイト２Ｂ，３Ｂ，４Ｂから稼動実績データＤＭ，ＤＤ，ＤＣが送信される毎に、詳細スケジュールＳＭ，ＳＤ，ＳＣの各タスクでの各資源のスケジュール上の稼動開始時刻および終了時刻と各サイト２Ｂ，３Ｂ、４Ｂの各資源（主要資源だけでもよい）の実際の稼動開始時刻および終了時刻とを比較し、いずれかのサイト２Ｂ，３Ｂ、４Ｂでの各オペレーション（各タスク）において遅延判定時間以上遅延した場合にはこれまでの稼動実績を加味して詳細スケジュールＳＭ，ＳＤ，ＳＣを再生成する。このとき、詳細スケジュール生成装置６ｉは、遅延の原因となったサイト２Ａ，３Ａ，４Ａとその遅延時間の情報を課金情報記憶装置６ｇに格納する。さらに、詳細スケジュール生成装置６ｉは、生成した詳細スケジュールＳＭ，ＳＤ，ＳＣを各サイト２Ａ，３Ａ，４Ａに再送信する。遅延判定時間は、薬剤Ｍの核種の半減期に基づいて設定された時間であり、スケジュールにこれ以上遅延が発生した場合には薬剤Ｍの核種の量が放射線検診できない量に減少してしまう時間である（例えば、各核種の半減期の２分の１の時間）。
【０１５８】
また、詳細スケジュール生成装置６ｉは、配送サイト３Ｂから稼動実績データＤＤが送信される毎に、稼動実績データＤＤから薬剤製造サイト２Ａと検診サイト４Ａ間の配送に要した時間を算出し、この結果を配送時間記憶装置６ｌに格納する。さらに、詳細スケジュール生成装置６ｉは、一定期間毎（例えば、一ヶ月毎）に、配送時間記憶装置６ｌから過去の一定期間分の薬剤製造サイト２Ａと検診サイト４Ａ間の配送に要した時間を読み出し、薬剤製造サイト２Ｂと各検診サイト４Ａ間における配送用車両３ａによる配送に要した時間の最大値、最小値、平均値を算出し、各曜日の時間帯毎に整理する。そして、詳細スケジュール生成装置６ｉは、この情報を配送時間の情報として配送時間記憶装置６ｌに格納する。
【０１５９】
さらに、詳細スケジュール生成装置６ｉは、一定期間毎（例えば、一ヶ月毎）に、課金情報記憶装置６ｇから過去の一定期間分の各サイト２Ｂ，３Ｂ，４Ｂの遅延回数と遅延時間の情報を読み出す。そして、詳細スケジュール生成装置６ｉは、一定期間毎（例えば、一ヶ月毎）に、製造詳細スケジュールＳＭに従って製造した薬剤Ｍの製造代金、製造詳細スケジュールＳＭを提供した対価および遅延回数や遅延時間による罰金等を算出し、薬剤製造サイト２Ｂに対して支払う代金を算出し、課金の情報として課金情報記憶装置６ｇに格納する。また、詳細スケジュール生成装置６ｉは、一定期間毎（例えば、一ヶ月毎）に、配送詳細スケジュールＳＤに従って配送した配送代金、配送詳細スケジュールＳＤを提供した対価および遅延回数や遅延時間による罰金等を算出し、配送サイト３Ｂに対して支払う代金を算出し、課金の情報として課金情報記憶装置６ｇに格納する。また、詳細スケジュール生成装置６ｉは、一定期間毎（例えば、一ヶ月毎）に、検診詳細スケジュールＳＣに従って配送された薬剤Ｍの代金、検診詳細スケジュールＳＣを提供した対価および薬剤Ｍの配送の遅延回数や遅延時間による割引や放射線検診における遅延回数や遅延時間による罰金等を算出し、検診サイト４Ｂに対して請求する代金を算出し、課金の情報として課金情報記憶装置６ｇに格納する。
【０１６０】
ジョブ記憶装置６ｊについて説明する。
ジョブ記憶装置６ｊは、サーバの記憶装置（ハードディスク等）に構成される。ジョブ記憶装置６ｊは、各サイト２Ｂ，３Ｂ，４Ｂから送信された稼動予定ＰＭ，ＰＤ，ＰＣを格納している。
【０１６１】
稼動実績記憶装置６ｋについて説明する。
稼動実績記憶装置６ｋは、サーバの記憶装置（ハードディスク等）に構成される。稼動予定記憶装置６ｋは、各サイト２Ｂ，３Ｂ，４Ｂから送信された稼動実績データＤＮ，ＤＤ，ＤＣを格納している。
【０１６２】
配送時間記憶装置６ｌについて説明する。
配送時間記憶装置６ｌは、サーバの記憶装置（ハードディスク等）に構成される。配送時間記憶装置６ｌは、詳細スケジュール生成装置６ｉで生成した配送時間の情報を格納している。
【０１６３】
次に、図１４を参照して、放射線検診システム１Ｂにおける各サイト２Ｂ，３Ｂ，４Ｂ，５Ｂ間の情報（データ）、薬剤Ｍおよびお金の流れを図１５のフローに沿って説明する。図１５は、放射線検診システム１Ｂにおける各サイト２Ｂ，３Ｂ，４Ｂ，５Ｂ間の情報（データ）、薬剤Ｍおよびお金の流れを示すフロー図である。なお、図１５中のＭ１乃至Ｍ１１の流れについては、第１の実施の形態に係る図１３に示すＭ１乃至Ｍ１１と同様の流れなので、その説明を省略する。
【０１６４】
まず、薬剤製造サイト２Ｂが、主要資源（核種製造装置２ａおよび薬剤合成装置２ｂ）の薬剤製造装置稼動予定ＰＭをスケジューリングサービス提供サイト５Ｂに対して送信する（Ｍ２１）。また、配送サイト３Ｂが、主要資源（配送用車両３ａ）の配送装置稼動予定ＰＤをスケジューリングサービス提供サイト５Ｂに送信する（Ｍ２２）。また、検診サイト４Ｂが、主要資源（撮像装置４ｃ）の検診装置稼動予定ＰＣをスケジューリングサービス提供サイト５Ｂに送信する（Ｍ２３）。すると、スケジューリングサービス提供サイト５Ｂでは、これらの稼動予定ＰＭ，ＰＤ，ＰＣに基づいて、ジョブスケジュールＳＪを生成する（図７参照）。
【０１６５】
薬剤製造サイト２Ｂでは、薬剤Ｍを製造するオペレーションあるいはタスクが終了する毎に、稼動実績データＤＭをスケジューリングサービス提供サイト５Ｂに送信する（Ｍ２４）。また、配送サイト３Ｂでは、薬剤Ｍを配送するオペレーションあるいはタスクが終了する毎に、稼動実績データＤＤをスケジューリングサービス提供サイト５Ｂに送信する（Ｍ２５）。また、配送サイト３Ｂでは、薬剤Ｍを使用して放射線検診を行うオペレーションあるいはタスクが終了する毎に、稼動実績データＤＣをスケジューリングサービス提供サイト５Ｂに送信する（Ｍ２６）。
【０１６６】
スケジューリングサービス提供サイト５Ｂでは、各サイト２Ｂ，３Ｂ，４Ｂから稼動実績データＤＭ，ＤＤ，ＤＣが送信される毎に、稼動実績データＤＭ，ＤＤ，ＤＣに基づきスケジュールの管理を行い、いずれかのサイト２Ｂ，３Ｂ，４Ｂにおいて遅延等の不都合が生じた場合にはそれまでの稼動実績に応じて詳細スケジュールＳＭ，ＳＤ，ＳＣの再生成する（Ｍ２７）。また、スケジューリングサービス提供サイト５Ｂでは、遅延の原因となったサイト２Ｂ，３Ｂ，４Ｂとその遅延時間の情報および稼動実績の情報に基づいて各サイト２Ｂ，３Ｂ，４Ｂとの代金の清算する際のデータ（薬剤Ｍの種類や量等）を保存する。
【０１６７】
そして、スケジューリングサービス提供サイト５Ｂでは、再作成した詳細スケジュールＳＭ，ＳＤ，ＳＣを各サイト２Ｂ，３Ｂ，４Ｂに再送信する（Ｍ２８，Ｍ２９，Ｍ３０）。
【０１６８】
スケジューリングサービス提供サイト５Ｂでは、一定期間毎（例えば、一ヶ月毎）に、検診詳細スケジュールＳＣを送信した回数、配送した薬剤Ｍの量および薬剤Ｍの配送の遅延回数や遅延時間や放射線検診における遅延回数や遅延時間等により、遅延保証付き検診スケジュール供給契約に基づいて検診サイト４Ｂに請求する代金を算出する。そして、スケジューリングサービス提供サイト５Ｂでは、算出した代金を検診サイト４Ｂに請求する（Ｍ３１）。検診サイト４Ｂでは、スケジューリングサービス提供サイト５Ｂに、この代金請求に対する代金支払いを行う（Ｍ３２）。
【０１６９】
また、スケジューリングサービス提供サイト５Ｂでは、一定期間毎（例えば、一ヶ月毎）に、配送詳細スケジュールＳＤを送信した回数、配送した薬剤Ｍの量と回数および薬剤Ｍの配送における遅延回数や遅延時間等により、配送代金回収サービス付き配送スケジュール供給契約に基づいて配送サイト３Ｂに支払う代金を算出する。そして、スケジューリングサービス提供サイト５Ｂでは、算出した代金を配送サイト３Ｂに支払う（Ｍ３３）。
【０１７０】
また、スケジューリングサービス提供サイト５Ｂでは、一定期間毎（例えば、一ヶ月毎）に、製造詳細スケジュールＳＭを送信した回数、製造した薬剤Ｍの種類と量および薬剤Ｍの製造における遅延回数や遅延時間等により、薬剤代金回収サービス付き配送スケジュール供給契約に基づいて薬剤製造サイト２Ｂに支払う代金を算出する。そして、スケジューリングサービス提供サイト５Ｂでは、算出した代金を薬剤製造サイト２Ｂに支払う（Ｍ３４）。
【０１７１】
第２の実施の形態に係る放射線検診システム１Ｂによれば、スケジューリングサービス提供サイト５Ｂにおいて一定周期毎に送信される稼動予定ＰＭ，ＰＤ，ＰＣに基づいて実行可能なジョブＪ１，・・・（ジョブスケジュールＳＪ）を生成しているので、各サイト２Ｂ，３Ｂ，４Ｂにおける各装置の保守や点検等のスケジュールを考慮して、より柔軟な詳細スケジューリングＳＭ，ＳＤ，ＳＣを生成することができる。また、放射線検診システム１Ｂによれば、スケジューリングサービス提供サイト５Ｂにおいて各曜日の時間帯毎の配送時間の情報を生成し、その情報に基づいて実行可能なジョブＪ１，・・・（ジョブスケジュールＳＪ）を生成しているので、交通渋滞等の事情を考慮した上で実行可能なジョブＪ１，・・・（ジョブスケジュールＳＪ）を生成できる。また、放射線検診システム１Ｂによれば、スケジューリングサービス提供サイト５Ｂにおいて稼動実績データＤＭ，ＤＤ，ＤＣをより予定した詳細スケジュールＳＭ，ＳＤ，ＳＣに対して遅延が生じた場合には再度詳細スケジュールＳＭ，ＳＤ，ＳＣを生成するので、スケジュールの遅延による検診の混乱を抑えることができる。例えば、検診サイト４Ｂの撮像装置４ｃの故障により、予定したスケジュールによる検診が不可能になった場合に、不必要となった薬剤Ｍに関し、薬剤製造サイト２Ｂでの製造や配送サイト３Ｂによる配送を事前に中止することが可能となる。つまり、無駄な薬剤Ｍの製造や配送を事前に中止することができる。
【０１７２】
また、放射線検診システム１Ｂによれば、スケジューリングサービス提供サイト５Ｂにおいて各検診サイト４Ｂから一括して代金の請求および徴収を行い、薬剤サイト２Ｂと配送サイト３Ｂに対して支払いを行うので、薬剤サイト２Ｂや配送サイト３Ｂが複数の検診サイト４Ａに対し代金の授受に関する煩雑な処理や作業を行う必要がない。また、放射線検診システム１Ｂによれば、スケジューリングサービス提供サイト５Ｂにおいてスケジュールの遅延による不都合で生じる損害に対しての割引きやスケジュールの遅延に対する罰金を加味して代金を算出しているので、検診サイト４Ｂにおける遅延に対する不利益を解消することができるとともに、遅延の原因となった各サイト２Ｂ，３Ｂ，４Ｂにペナルティを課すことができる。
【０１７３】
次に、第３の実施の形態について説明する。
第３の実施の形態に係る放射線検診システム１Ｃは、第２の実施の形態に係る放射線検診システム１Ｂを基本としており、一つの機能が更に加わる（図１４、図１６参照）。その機能としては、検診サイト４Ｃにおける従事者に関する過去の被曝放射線量の実績値に基づいてタスク毎の予想被曝放射線量の推定値を算出し、この推定値を用いてタスクの処理により従事者が新たに被曝する放射線量を予測し、この予測結果を検診詳細スケジュールＳＣに反映する機能である（図１６参照）。第３の実施の形態では、この機能によって、より柔軟な詳細スケジュールＳＭ，ＳＤ，ＳＣを作成する。なお、第３の実施の形態では、第２の実施の形態と同様の構成については同一の符号を付し、その詳細な説明を省略する。また、第３の実施の形態では、検診サイト４Ｃの従事者に対しての被曝放射線量を予測して検診詳細スケジュールＳＣに反映する構成としているが、勿論、薬剤製造サイト２Ｃや配送サイト３Ｃの従事者に対しての被曝放射線量を予測して詳細スケジュールＳＭ，ＳＤに反映する構成を加えてもよい。
【０１７４】
というのは、放射線検診システム１Ｃにおいては、放射線を発生する薬剤Ｍを使用することから、薬剤Ｍを取り扱う従事者に関する被曝放射線量の管理が重要である。従事者に対する被曝放射線量は、被曝による人体に対する影響を防止するために、放射線障害防止法等の法令や各サイト２Ｃ，３Ｃ，４Ｃの規則で一定期間における被曝放射線量の最大値（限度）が規定されている。ちなみに、従来、放射線検診に係わる各従事者の被曝放射線量の管理方法としては、各従事者が装着するフイルムバッチ等の被曝放射線量検出手段により一定期間における被曝の実績値を測定し管理する方法が知られている。このような方法では、作業後に測定結果を見るまでは被曝放射線量を知ることができないため、実施した作業の結果として被曝放射線量の限度を超えてしまうという不都合が生じる可能性がある。そこで、第３の実施の形態では、放射線検診に係わる従事者の過去の被曝放射線量の実績値と将来予定された作業（タスク）を考慮し、詳細スケジュールＳＭ，ＳＤ，ＳＣを生成することが可能な放射線検診システム１Ｃを構成している。
【０１７５】
放射線検診システム１Ｃは、薬剤Ｍの製造からその薬剤Ｍを用いた放射線検診までを行うシステムであり、このシステムを効率的に稼動させるために薬剤Ｍの製造からその薬剤Ｍを用いた放射線検診までの詳細なスケジュールを生成するシステムである。そのために、放射線検診システム１Ｃは、薬剤製造サイト２Ｃ、配送サイト３Ｃ，多数の検診サイト４Ｃおよびスケジューリングサービス提供サイト５Ｃから構成される。特に、スケジューリングサービス提供サイト５Ｃには、放射線検診スケジュール生成システム６Ｃが構築され、その放射線検診スケジュール生成システム６Ｃに被曝放射線量予測システムの主要部が構築される。
【０１７６】
放射線検診システム１Ｃでは、スケジューリングサービス提供サイト５Ｃと薬剤製造サイト２Ｃ、配送サイト３Ｃおよび多数の検診サイト４Ｃとの間が公衆電話回線、インターネットあるいは専用回線等の通信回線により接続されており、この通信回線を介して情報を送受信している。そして、放射線検診システム１Ｃでは、スケジューリングサービス提供サイト５Ｃにおいて各サイトの装置や従事者に対するスケジュールを生成し、このスケジュールに基づいて薬剤製造サイト２Ｃで薬剤Ｍを製造し、配送サイト３Ｃが製造した薬剤Ｍを検診サイト４Ｃまで配送し、検診サイト４Ｃで配送された薬剤Ｍを用いて被検診者に対して放射線検診を行っている。
【０１７７】
なお、薬剤製造サイト２Ｃについては、第２の実施の形態に係る薬剤製造サイト２Ｂと同様の構成を有するので（図１４参照）、その説明を省略する。また、配送サイト３Ｃについては、第２の実施の形態に係る配送サイト３Ｂと同様の構成を有するので（図１４参照）、その説明を省略する。
【０１７８】
図１６を参照して、検診サイト４Ｃについて説明する。
検診サイト４Ｃは、検診施設（例えば、病院）であり、独立した事業者によって運営されている。検診サイト４Ｃは、スケジューリングサービス提供サイト５Ｃからの検診詳細スケジュールＳＣに従って放射線検診を行っている。また、検診サイト４Ｃでは、スケジューリングサービス提供サイト５Ｃにおいて検診詳細スケジュールＳＣを生成するために、スケジューリングサービス提供サイト５Ｃに資源（配送用車両、従事者）の情報および一定周期毎に検診装置稼動予定ＰＣならびに所定周期毎に稼動実績データＤＣを提供している。さらに、検診サイト４Ｃは、スケジューリングサービス提供サイト５Ｃにおいて従事者の被曝放射線量を予測するために、スケジューリングサービス提供サイト５Ｃに一定期間毎に従事者別の一日毎のタスク別の処理オーダ数と一日毎の被曝放射線量からなる情報（以下、「被曝放射線量実績情報ＤＢ」と記載する）を提供している。
【０１７９】
検診サイト４Ｃは、スケジューリング提供サイト５Ｃの放射線検診スケジュール生成システム６Ｃからの検診スケジュールＳＣに従って検診装置４ａ，４ｂ，４ｃや従事者（医師、看護婦、技師）を管理するためおよび検診装置稼動予定ＰＣ、稼動実績データＤＣと被曝放射線量実績情報ＤＢをスケジューリング提供サイト５Ｃに送信するために、スケジュール管理装置４ｏ、詳細スケジュール記憶装置４ｅ、検診情報入出力装置４ｈ、装置稼動予定記憶装置４ｐおよび被曝放射線量管理装置４ｑを備えている。
なお、第３の実施の形態では、被曝放射線量管理装置４ｑが特許請求の範囲に記載する被曝放射線量管理手段に相当する。
【０１８０】
スケジュール管理装置４ｏ、詳細スケジュール記憶装置４ｅ、検診情報入出力装置４ｈ、装置稼動予定記憶装置４ｐおよび被曝放射線量管理装置４ｑは、検診サイト用スケジュール管理ソフトウエアおよび被曝放射線量管理用ソフトウエアによってパソコン（図示せず）に構成される。また、このパソコンは、放射線検診スケジュール生成システム６Ｃと情報を送受信するために通信制御装置（図示せず）を備えており、特に、インターネットで情報を送受信する場合にはＷＷＷブラウザを備えている。通信制御装置は、モデム、ＤＳＵ等から構成されている。
【０１８１】
被曝放射線量管理装置４ｑについて説明する。
被曝放射線量管理装置４ｑは、パソコンの主制御装置（図示せず）に構成されている。被曝放射線量管理装置４ｑは、各従事者（医師、看護婦、技師）の一日の全てのタスクが終了する毎に、各従事者が放射線量測定装置（図示せず）で測定した被曝放射線量を取り入れるとともに、各従事者の処理した全てのタスクにおけるタスクの種類別のオーダ数を詳細スケジュール記憶装置４ｅに格納されている検診詳細スケジュールＳＣから読み込む。そして、被曝放射線量管理装置４ｑは、従事者別の一日分のタスクの種類別のオーダ数を一覧表にするとともにその一覧表に一日分の被曝放射線量を対応付けして被曝放射線量実績情報ＤＢを作成し、この被曝放射線量実績情報ＤＢを放射線検診スケジュール生成システム６Ｃに送信する。放射線量測定装置は、個人用の半導体検出器にて構成されており、従事者が一日の全てのタスクを終了したときに、この半導体検出器によって被曝放射線量を測定し、被曝放射線量管理装置４ｑに出力する。
【０１８２】
また、被曝放射線量管理装置４ｑは、被曝放射線量実績情報ＤＢを作成すると、パソコンのディスプレイ（図示せず）に表示する。この表示の一例を図１８に示す。図１８は、被曝放射線量実績情報画面４ｒの一例である。被曝放射線量実績情報画面４ｒには、放射線検診システム１Ｃに係わる全ての従事者を個別に識別するためのコード（記号）である従事者ＩＤ、測定日、タスクの種類毎の処理したオーダ数、被曝放射線量の実績値（測定値）を、従事者毎に一覧表にした画面である。利用者（各従事者または検診サイト４Ｃのオペレータ）は、この被曝放射線量実績情報画面４ｒにより実績データを確認し、処理したタスクのオーダ数等のデータに間違いがある場合にはパソコンの入力装置（図示せず）を操作することによってデータを修正する。利用者は、修正を行う場合には被曝放射線量実績情報画面４ｒのデータの修正後に修正ボタン４ｓをマウスを操作してクリックし、表示されたデータに間違いがない場合には被曝放射線量実績情報画面４ｒのＯＫボタン４ｔをクリックする。被曝放射線量管理装置４ｑでは、利用者がＯＫボタン４ｔをクリックすると、被曝放射線量実績情報ＤＢを放射線検診スケジュール生成システム６Ｃに送信する。
【０１８３】
図１６を参照して、スケジューリングサービス提供サイト５Ｃについて説明する。
スケジューリングサービス提供サイト５Ｃは、スケジューリングサービス会社であり、独立した事業者によって運営されている。スケジューリングサービス提供サイト５Ｃでは、薬剤製造サイト２Ｃ、配送サイト３Ｃおよび検診サイト４Ｃからの稼動予定情報ＰＭ，ＰＤ，ＰＣと検診サイト４Ｃからの検診予約の要求に基づいて製造詳細スケジュールＳＭ、配送詳細スケジュールＳＤおよび検診詳細スケジュールＳＣを生成し、各詳細スケジュールＳＭ，ＳＤ，ＳＣを各サイト２Ｃ，３Ｃ，４Ｃに送信している。そのため、スケジューリングサービス提供サイト５Ｃでは、検診サイト４Ｃで行う放射線検診の予約管理も行っている。さらに、スケジューリングサービス提供サイト５Ｃでは、薬剤製造サイト２Ｃ、配送サイト３Ｃおよび検診サイト４Ｃからの稼動実績データＤＭ，ＤＤ，ＤＣと詳細スケジュールＳＭ，ＳＤ，ＳＣとに基づいてスケジュールに遅れが発生している場合には製造詳細スケジュールＳＭ、配送詳細スケジュールＳＤおよび検診詳細スケジュールＳＣを再生成し、各詳細スケジュールＳＭ，ＳＤ，ＳＣを各サイト２Ｃ，３Ｃ，４Ｃに再送信している。また、スケジューリングサービス提供サイト５Ｃでは、検診詳細スケジュールＳＣを実行の可否を判定するために、検診サイト４Ｃからの被曝放射線量実績情報ＤＢに基づいて検診サイト４Ｃの各タスクの１オーダ毎の被曝放射線量を予測し、検診サイト４Ｃの各従事者が検診詳細スケジュールＳＣのタスクを処理した場合の被曝放射線量を推定している。このような処理を行うために、スケジューリングサービス提供サイト５Ｃには、放射線検診スケジュール生成システム６Ｃが構築されている。なお、スケジューリングサービス提供サイト５Ｃでは、各サイト２Ｃ，３Ｃ，４Ｃと各スケジュール供給契約を結んでおり、各サイト２Ｃ，３Ｃ，４Ｃからの詳細スケジュールＳＭ、ＳＤ，ＳＣに対して支払われる代金および薬剤Ｍの代金管理によって事業を運営している。
【０１８４】
放射線検診スケジュール生成システム６Ｃについて説明する。放射線検診スケジュール生成システム６Ｃは、ジョブ生成装置６ｈ、予約管理装置６ａ、予想被曝放射線量推定装置６ｍ、詳細スケジュール生成装置６ｎ、稼動予定記憶装置６ｊ、ジョブ記憶装置６ｃ、オーダ記憶装置６ｄ、資源情報記憶装置６ｅ、詳細スケジュール記憶装置６ｆ、課金情報記憶装置６ｇ、稼動実績記憶装置６ｋ、配送時間記憶装置６ｌ、被曝放射線量情報記憶装置６ｏおよび被曝放射線量限度記憶装置６ｐを備えている。なお、第３の実施の形態では、ジョブ生成装置６ｈが特許請求の範囲に記載するジョブ生成手段に相当し、予想被曝放射線量推定装置６ｍが特許請求の範囲に記載する予測被曝放射線量推定手段に相当し、詳細スケジュール生成装置６ｎが特許請求の範囲に記載するスケジュール生成手段に相当し、稼動予定記憶装置６ｊが特許請求の範囲に記載する第３記憶手段に相当し、ジョブ記憶装置６ｃが特許請求の範囲に記載する第１記憶手段に相当し、資源情報記憶装置６ｅが特許請求の範囲に記載する第２記憶手段に相当し、課金情報記憶装置６ｇが特許請求の範囲に記載する第４記憶手段に相当し、稼動実績記憶装置６ｋが特許請求の範囲に記載する第５記憶手段に相当する。また、検診サイト４Ｃの被曝放射線量管理装置４ｑおよび放射線検診スケジュール生成システム６Ｃの予想被曝放射線量推定装置６ｍ、被曝放射線量情報記憶装置６ｏおよび被曝放射線量限度記憶装置６ｐによって特許請求の範囲に記載する被曝放射線量予測システムを構成している。
【０１８５】
放射線検診スケジュール生成システム６Ｃは、放射線検診スケジュール生成ソフトウエアおよび予想被曝放射線量推定ソフトウエアによってサーバ（図示せず）に構成される。また、このサーバは、各サイト２Ｃ，３Ｃ，４Ｃと情報を送受信するために通信制御装置（図示せず）を備えており、特に、インターネットで情報を送受信する場合にはＷＷＷサーバプログラムを備えている。通信制御装置は、モデム、ＤＳＵ等から構成されている。
【０１８６】
図１７を参照して、予想被曝放射線量推定装置６ｍについて説明する。図１７は、放射線検診スケジュール生成システム６Ｃにおける予想被曝放射線量推定処理の説明図である。
予想被曝放射線量推定装置６ｍは、サーバの主制御装置（図示せず）に構成されている。予想被曝放射線量推定装置６ｍは、検診サイト４Ｃから送信された被曝放射線量実績情報ＤＢに基づいてタスクの種類毎の被曝放射線量の予測値を算出し、タスク毎被曝放射線量予測情報ＩＢを生成する。タスク毎被曝放射線量予測情報ＩＢは、各タスクについて、１オーダを処理する毎に、処理を行った従事者が被曝する放射線量予測値および予測誤差からなる。具体的には、予想被曝放射線量推定装置６ｍでは、被曝放射線量実績情報ＤＢにおける各従事者のタスク毎の処理オーダ数のデータおよび被曝放射線量の実績値から、重回帰分析の手法を用いて、従事者の被曝放射線量に関する重回帰式を作成する。つまり、予想被曝放射線量推定装置６ｍでは、被曝放射線量の実績値を目的変数Ｙ、タスク毎の処理オーダ数を説明変数Ｘ１，Ｘ２，・・・Ｘｎとして、次の関係式（５）を作成する。さらに、予想被曝放射線量推定装置６ｍでは、ｆ（Ｘ１，Ｘ２，・・・，Ｘｎ）としてＸ１，Ｘ２，・・・，Ｘｎの線形一次式の関係を仮定し、次の線形重回帰モデル（６）と生成する。
【０１８７】
【数４】
0004303436.tif 000005
【０１８８】
そして、この線形重回帰モデル（６）に基づいて算出される各偏回帰係数（ａ１，・・・，ａｎ）が、各タスク（タスク１〜タスクｎ）を一回処理することにより被曝する放射線量の予測値となる。つまり、目的変数Ｙに被曝放射線量実績情報ＤＢの従事者毎の被曝放射線量の実績値を代入するとともに説明変数Ｘｉに被曝放射線量実績情報ＤＢの各従事者のタスク毎の処理オーダ数を各々代入して線形重回帰モデル（６）を、従事者毎に作成する。さらに、数日分〜数十日分の多数の線形重回帰モデル（６）を作成し、多数の線形重回帰モデル（６）から各偏回帰係数（ａ１，・・・，ａｎ）および定数項（ａ０）と誤差項（ｅ）を算出する。このとき、各偏回帰係数（ａ１，・・・，ａｎ）の各誤差（予測誤差）も算出する。ちなみに、線形重回帰モデル（６）の数を多くするほど、各偏回帰係数（ａ１，・・・，ａｎ）の精度が向上する。
【０１８９】
予想被曝放射線量推定装置６ｍでは、以上の処理によって算出されるａ１，ａ２，・・・，ａｎの値と各予測誤差およびａ０とｅの値によりタスク毎被曝放射線量予測情報ＩＢを生成する。そして、予想被曝放射線量推定装置６ｍでは、このタスク毎被曝放射線量予測情報ＩＢをパソコンのディスプレイ（図示せず）に表示する。
【０１９０】
図１９にタスク毎被曝放射線量予測情報ＩＢの表示の一例を示す。図１９は、タスク毎被曝放射線量予測情報画面４ｕの一例である。このタスク毎被曝放射線量予測情報画面４ｕでは、タスクの種類毎の被曝放射線量の予測値と予測誤差のデータで構成する画面である。利用者（放射線検診スケジュール生成システム６Ｃのオペレータ）は、タスク毎被曝放射線量予測情報画面４ｕにおける予測結果が妥当であると判断した場合にはマウス（図示せず）を操作してＯＫボタン４ｖをクリックする。すると、予想被曝放射線量推定装置６ｍでは、この操作に応じて、タスク毎の必要な資源に関する情報としてタスク毎被曝放射線量予測情報ＩＢおよび被曝放射線量実績情報ＤＢを資源情報記憶装置６ｅに格納するとともに、タスク毎被曝放射線量予測情報ＩＢを被曝放射線量情報記憶装置６ｏに格納する。ちなみに、資源情報記憶装置６ｅおよび被曝放射線量情報記憶装置６ｏにおいて格納されているこれらの情報は、詳細スケジュール生成装置６ｎが、検診詳細スケジュールＳＣを生成するときに利用する。
【０１９１】
詳細スケジュール生成装置６ｎについて説明する。
詳細スケジュール生成装置６ｂは、サーバの主制御装置（図示せず）に構成されている。詳細スケジュール生成装置６ｎは、第２の実施の形態に係る詳細スケジュール生成装置６ｉの機能に加えて（図１４参照）、以下の機能を備えている。詳細スケジュール生成装置６ｎは、第１の実施の形態で説明したタスク展開スケジュールＳＴを生成し、さらに詳細スケジュールＳＭ，ＳＤ，ＳＣを生成した後（図９、図１２参照）、図１２に示すステップＳ３５の実行可否の評価において各従事者（検診サイト４Ｃ）の被曝放射線量の限度を評価条件とする。そのために、詳細スケジュール生成装置６ｎでは、詳細スケジュール記憶装置６ｆに格納されている検診詳細スケジュールＳＣから一日分の全てのタスクを抽出し、その各タスクの処理に必要な従事者を全て抽出する。そして、詳細スケジュール生成装置６ｎでは、一日分の各従事者のタスクの種類別の処理予定オーダ数を統計化する。さらに、詳細スケジュール生成装置６ｎでは、被曝放射線量情報記憶装置６ｏに格納されているタスク毎被曝放射線量予測情報ＩＢを利用して、線形重回帰モデル（６）により一日分の各従事者の被曝放射線量の予測値を算出する。つまり、タスク毎被曝放射線量予測情報ＩＢから偏回帰係数ａ１，ａ２，・・・，ａｎおよび定数項ａ０と誤差項ｅを読み出すとともに説明変数Ｘｉを各従事者のタスクの種類別の処理予定オーダ数とし、線形重回帰モデル（６）によって目的変数Ｙ（一日分の各従事者の被曝放射線量の予測値）を算出する。
【０１９２】
さらに、詳細スケジュール生成装置６ｎでは、資源情報記憶装置６ｅに格納されている被曝放射線量実績情報ＤＢによる各従事者の過去の一定期間分（例えば、一ヶ月分）から一日分を差し引いた積算被曝放射線量の実績値に一日分の各従事者の被曝放射線量の予測値を加え、各従事者の一定期間分の積算被曝放射線量の予測値を算出する。そして、詳細スケジュール生成装置６ｎでは、各従事者に対して、この積算被曝放射線量の予測値と被曝放射線量限度記憶装置６ｐに格納されている一定期間（例えば、一ヶ月分）における被曝放射線量の限度と比較する。積算被曝放射線量の予測値が限度を超えた場合、詳細スケジュール生成装置６ｎでは、図１２に示すステップＳ３６の判定で実行が不能のスケジュールであると判定し、図１２に示すステップＳ３７の処理に移行する。詳細スケジュール生成装置６ｎでは、ステップＳ３７の処理において、積算被曝放射線量の予測値が限度を超えた従事者に対して、被曝放射線量が少ないあるいは放射線を全く被曝しないタスクを割り当てる。ちなみに、薬剤Ｍを注入するタスク等が被曝放射線量が多いタスクであり、被検診者を案内するタスク等が被曝放射線量が少ないタスクである。
【０１９３】
また、詳細スケジュール生成装置６ｎでは、各従事者に対して、被曝放射線量に関する情報を、パソコンのディスプレイ（図示せず）に表示する。この表示の一例を図２０に示す。図２０は、被曝放射線量予測情報画面４ｗの一例である。被曝放射線量予測情報画面４ｗには、従事者（従者者ＩＤ）毎に、検診詳細スケジュールＳＣのタスクを処理する対象日、その対象日のタスクの種類毎の処理予定オーダ数、そのタスクの種類毎の処理予定オーダ数を全て処理した場合の被曝放射線量の予測値、一定期間分（例えば、一ヶ月分）の積算被曝放射線量の予測値を示す画面である。また、被曝放射線量予測情報画面４ｗでは、積算放射線量の予測値が被曝放射線量の限度を超えた場合、積算放射線量の予測値を強調表示４ｙする。利用者は、この被曝放射線量予測情報画面４ｗにより被曝放射線量の予測情報を確認する。詳細スケジュール生成装置４ｎは、利用者が被曝放射線量予測情報画面４ｗのＯＫボタン４ｘをマウスを操作してクリックすることにより確認した場合には、次の処理に移行する。
【０１９４】
被曝放射線量情報記憶装置６ｏについて説明する。
被曝放射線量情報記憶装置６ｏは、サーバの記憶装置（ハードディスク等）に構成される。被曝放射線量情報記憶装置６ｏは、予想被曝放射線量推定装置６ｍで生成したタスク毎被曝放射線量予測情報ＩＢを格納している。
【０１９５】
被曝放射線量限度記憶装置６ｐについて説明する。
被曝放射線量限度記憶装置６ｐは、サーバの記憶装置（ハードディスク等）に構成される。被曝放射線量限度記憶装置６ｐは、放射線障害防止法等の法令あるいは検診サイト４Ａの規則等で定められた従事者に対する一定期間（例えば、一ヶ月）内における被曝放射線量の限度のデータを格納している。本実施の形態では、この限度のデータとしてＤｌｉｍ  μＳｖ／月を単位とした値を使用する。
【０１９６】
なお、資源情報記憶装置６ｅは、第１の実施の形態で説明した資源の情報の他に、タスク毎の必要な資源に関する情報としてタスク毎被曝放射線量予測情報ＩＢおよび被曝放射線量実績情報ＤＢを格納している。
【０１９７】
第３の実施の形態に係る放射線検診システム１Ｃによれば、生成した詳細スケジュールＳＭ，ＳＤ，ＳＣを実行した場合の各従事者の被曝放射線量の予測値を算出しているので、この結果に基づいて一定期間の各従事者の積算被曝放射線量の予測値が限度値以下となる詳細スケジュールＳＭ，ＳＤ，ＳＣを生成できる。そのため、放射線検診システム１Ｃによれば、従事者が多くの放射線を被曝することによりタスクに従事できなくなるような不都合を未然に防止することができ、従事者が過度に被曝することを防止できる。ちなみに、第３の実施の形態では、検診サイト４Ｃの各従事者に対してのみ被曝放射線量に関する処理を行う構成について説明したが、薬剤製造サイト２Ｃおよび配送サイト３Ｃの各従事者に対しても同様に適用することができる。
【０１９８】
また、放射線検診システム１Ｃでは、スケジューリングサービス提供サイト５Ｃにおて、過去の各従事者の被曝放射線量の実績データに基づいてタスク毎の被曝放射線量の予測値を求めることによって、従事者毎の被曝放射線量の予測値の算出を可能としている。さらに、放射線検診システム１Ｃでは、過去の各従事者の被曝放射線量の実績データと各従事者が処理したタスクのデータに基づいて重回帰モデルを利用することにより、タスク毎の被曝放射線量の予測値を簡単かつ高精度に算出することができる。
【０１９９】
以上、本発明の実施の形態について説明したが、本発明は、前記の実施の形態に限定されることなく、様々な形態で実施される。
例えば、本実施の形態ではスケジューリングサービス提供サイトは独立した事業者によって運営される構成としたが、薬剤製造サイト、配送サイトあるいは検診サイト等のいずれかのサイトで運営し、この運営するサイトで放射線検診スケジュール生成システムを構築してもよい。
また、本実施の形態では薬剤製造サイト、配送サイト、検診サイトおよびスケジューリングサービス提供サイトをそれぞれ独立した事業者が運営する構成としたが、これらのうち複数のサイトを同じ事業者が運営するようにしてもよい。このように複数のサイトを同じ事業者により運営する場合には、製造スケジュール供給契約等の契約やこれに伴う代金の請求や支払いの処理は省略することが可能である。
また、本実施の形態では薬剤製造サイトと検診サイトを別々の事業体としたが、検診サイトの中で薬剤を製造する事業体もある。
また、本実施の形態では詳細スケジュールを送信した回数に基づいて詳細スケジュールの提供サービスに関する代金の請求を行う構成としたが、送信回数に関係なく一定期間単位（例えば、月単位）等で請求を行う構成としてもよい。
【０２００】
また、第２の実施の形態では各サイトから稼動実績データが送信される毎に詳細スケジュールを再生成する構成としたが、一つのオーダが終了する毎等に詳細スケジュールを再生成する構成としてもよい。
また、第３の実施の形態では被曝放射線量管理装置を検診サイトに設け、検診サイトの従事者に対し被曝放射線量を予測する構成としたが、さらに、被曝放射線量管理装置を薬剤製造サイトや配送サイトに設け、薬剤製造サイトや配送サイトの従事者に対し被曝放射線量を予測する構成としてもよい。
また、第３の実施の形態では被曝放射線量管理装置を検診サイトに設ける構成としたが、放射線検診スケジュール生成システムにおいて検診サイトから被曝放射線量に関する情報を収集し、放射線検診スケジュール生成システムに被曝放射線量管理装置を設ける構成としてもよい。
また、第３の実施の形態では被曝放射線量限度記憶装置に保持する被曝放射線量の限度の値として一ヶ月間の積算被曝放射線量に対する値を用いたが、一年間あるいは一週間の積算被曝放射線量に対する値を用いてもよい。ちなみに、この積算期間が長すぎると、従事者が積算対象期間の前半で多くの放射線を被曝し、限度を超えた場合に以降のタスクの割り付けが長期にわたり不可能になる可能性がある。また、積算期間が短すぎると、限度の値も期間に応じて小さくなるため、詳細スケジュールの生成における従事者の割り付け方法が複雑になる可能性がある。したがって、この限度の値は、これらの特性を考慮した上で設定する必要がある。
【０２０１】
【発明の効果】
本発明によれば、放射線検診スケジュール生成システムで生成したスケジュールによって各サイトの資源を効率的に稼動でき、放射線検診システム全体を高効率に稼動することができる。
【図面の簡単な説明】
【図１】第１の実施の形態に係る放射線検診システムの全体構成図である。
【図２】本実施の形態に係る薬剤製造サイトの構成図である。
【図３】本実施の形態に係る検診サイトの構成図である。
【図４】本実施の形態に係る検診予約画面の一例である。
【図５】本実施の形態に係る検診予約結果画面の一例である。
【図６】本実施の形態に係るジョブの構成の一例である。
【図７】本実施の形態に係る割付可能なジョブからなるジョブスケジュールの一例である。
【図８】本実施の形態に係る検診サイトでの詳細スケジュールの一例である。
【図９】本実施の形態に係る検診サイトでのタスク展開スケジュールの一例である。
【図１０】図１の放射線検診システムにおける動作の流れを示すフローチャートである。
【図１１】図１の放射線検診スケジュール生成システムにおける予約管理時の処理の流れを示すフローチャートである。
【図１２】図１の放射線検診スケジュール生成システムにおける詳細スケジュール生成時の処理の流れを示すフローチャートである。
【図１３】図１の放射線検診システムにおける各サイト間の情報（データ）、薬剤およびお金の流れを示すフロー図である。
【図１４】第２の実施の形態に係る放射線検診システムの全体構成図である。
【図１５】図１４の放射線検診システムにおける各サイト間の情報（データ）、薬剤およびお金の流れを示すフロー図である。
【図１６】第３の実施の形態に係る放射線検診システムの全体構成図である。
【図１７】図１６の放射線検診スケジュール生成システムにおける予想被曝放射線量推定処理の説明図である。
【図１８】第３の実施の形態に係る被曝放射線量実績情報画面の一例である。
【図１９】第３の実施の形態に係るタスク毎被曝放射線量予測情報画面の一例である。
【図２０】第３の実施の形態に係る被曝放射線量予測情報画面の一例である。
【図２１】従来の放射線検診システムの全体構成図ある。
【符号の説明】
１Ａ，１Ｂ，１Ｃ・・・放射線検診システム
２，２Ａ，２Ｂ，２Ｃ・・・薬剤製造サイト
２ａ・・・核種製造装置（薬剤製造装置）（資源、主要資源）
２ｂ・・・薬剤合成装置（薬剤製造装置）（資源、主要資源）
２ｄ・・・スケジュール管理装置（管理手段）
２ｏ・・・スケジュール管理装置（管理手段、提供手段）
３Ａ，３Ｂ，３Ｃ・・・配送サイト
３ａ・・・配送用車両（配送装置）（資源、主要資源）
３ｄ・・・スケジュール管理装置（管理手段）
３ｏ・・・スケジュール管理装置（管理手段、提供手段）
４，４Ａ，４Ｂ，４Ｃ・・・検診サイト
４ａ・・・薬剤注入器（検診装置）（資源）
４ｂ・・・ベッド（検診装置）（資源）
４ｃ・・・撮像装置（検診装置）（資源、主要資源）
４ｄ・・・スケジュール管理装置（管理手段）
４ｏ・・・スケジュール管理装置（管理手段、提供手段）
４ｑ・・・被曝放射線量管理装置（被曝放射線量管理手段、被曝放射線量予測システム）
５Ａ，５Ｂ，５Ｃ・・・スケジューリングサービス提供サイト
６Ａ，６Ｂ，６Ｃ・・・放射線検診スケジュール生成システム
６ａ・・・予約管理装置（日時決定手段）
６ｂ，６ｉ，６ｎ・・・詳細スケジュール生成装置（スケジュール生成手段）
６ｃ・・・ジョブ記憶装置（第１記憶手段）
６ｄ・・・オーダ記憶装置
６ｅ・・・資源情報記憶装置（第２記憶手段）
６ｆ・・・詳細スケジュール記憶装置
６ｇ・・・課金情報記憶装置（第４記憶手段）
６ｈ・・・ジョブ生成装置（ジョブ生成手段）
６ｊ・・・稼動予定記憶装置（第３記憶手段）
６ｋ・・・稼動実績記憶装置（第５記憶手段）
６ｌ・・・配送時間記憶装置
６ｍ・・・予測被曝放射線量推定装置（予測被曝放射線量推定手段、被曝放射線量予測システム）
６ｏ・・・被曝放射線量情報記憶装置（被曝放射線量予測システム）
６ｐ・・・被曝放射線量限度記憶装置（被曝放射線量予測システム）
Ｊ，Ｊ１，Ｊ２，Ｊ３，Ｊ４，Ｊ５，Ｊ６・・・ジョブ
Ｍ・・・放射性薬剤
ＯＲ，ＯＲ１，ＯＲ２，ＯＲ３，ＯＲ４，ＯＲ５，ＯＲ６・・・オーダ
ＩＢ・・・タスク毎被曝放射線量予測情報
ＤＢ・・・被曝放射線量実績情報
ＤＣ，ＤＤ，ＤＭ・・・稼動実績データ（稼動実績の情報）
ＰＣ・・・検診装置稼動予定（稼動予定の情報）
ＰＤ・・・配送装置稼動予定（稼動予定の情報）
ＰＭ・・・薬剤製造装置稼動予定（稼動予定の情報）
ＳＣ・・・検診詳細スケジュール（スケジュール）
ＳＤ・・・配送詳細スケジュール（スケジュール）
ＳＭ・・・製造詳細スケジュール（スケジュール）
ＳＪ・・・ジョブスケジュール（ジョブの情報）
ＳＯ・・・オーダスケジュール
ＳＴ・・・タスク展開スケジュール
【図１】
0004303436.tif 000006
【図２】
0004303436.tif 000007
【図３】
0004303436.tif 000008
【図４】
0004303436.tif 000009
【図５】
0004303436.tif 000010
【図６】
0004303436.tif 000011
【図７】
0004303436.tif 000012
【図８】
0004303436.tif 000013
【図９】
0004303436.tif 000014
【図１０】
0004303436.tif 000015
【図１１】
0004303436.tif 000016
【図１２】
0004303436.tif 000017
【図１３】
0004303436.tif 000018
【図１４】
0004303436.tif 000019
【図１５】
0004303436.tif 000020
【図１６】
0004303436.tif 000021
【図１７】
0004303436.tif 000022
【図１８】
0004303436.tif 000023
【図１９】
0004303436.tif 000024
【図２０】
0004303436.tif 000025
【図２１】
0004303436.tif 000026